(57)【特許請求の範囲】
【請求項１】
紙幣を集積すると共に、ユーザが開口を通じて集積した紙幣を取り出し可能に構成された複数の集積部と、
設定されたバッチ枚数の紙幣を前記集積部に集積させるバッチ処理を行うよう構成された処理部と、
前記集積部に集積した紙幣が前記バッチ枚数に到達したときに、前記紙幣を取り出すべき集積部を、視覚的にユーザに示す視覚誘導部と、を備え、
前記処理部は、前記集積部の集積容量を超えるバッチ枚数の紙幣を集積するバッチ処理を行うときには、前記集積容量以下の所定枚数を集積した時点で、前記紙幣の集積を停止すると共に、前記集積部から前記紙幣が取り出された後に、前記紙幣の集積を再開し、
前記視覚誘導部は、前記集積部に集積した紙幣の累積枚数が前記バッチ枚数に到達したときに、前記集積部について視覚誘導を行う紙幣処理装置。
【請求項２】
前記視覚誘導部は、視覚誘導を行うときには、一つの集積部について行う請求項１に記載の紙幣処理装置。
【請求項３】
前記視覚誘導部は、複数の集積部のうち、先にバッチ枚数に到達した前記集積部について視覚誘導を行う請求項２に記載の紙幣処理装置。
【請求項４】
前記バッチ処理を行った前記紙幣に関するデータファイルを作成するよう構成されたファイル作成部を備え、
前記ファイル作成部が作成する前記データファイルの作成単位は、現物紙幣の管理単位に対応する請求項１〜３のいずれか１項に記載の紙幣処理装置。
【請求項５】
前記バッチ処理を行った前記紙幣に関するデータファイルを作成するよう構成されたファイル作成部を備え、
前記ファイル作成部は、前記累積枚数が前記バッチ枚数に到達したときに前記バッチ処理が完了したとして、前記集積部に複数回に分けて集積した前記紙幣の情報を含むデータファイルを作成する請求項１〜３のいずれか１項に記載の紙幣処理装置。
【請求項６】
前記複数の集積部は、集積している紙幣が前記開口から突出するように紙幣を押し出す押出機構を有し、
前記視覚誘導部は、前記押出機構によって、紙幣を取り出すべき前記集積部の紙幣を、前記開口から突出させる請求項１〜５のいずれか１項に記載の紙幣処理装置。
【請求項７】
前記複数の集積部はそれぞれ、その内部又は開口付近を照らす照明部を有し、
前記視覚誘導部は、前記照明部によって、紙幣を取り出すべき前記集積部を照らす請求項１〜６のいずれか１項に記載の紙幣処理装置。
【請求項８】
前記複数の集積部はそれぞれ、前記開口を開閉する扉を有し、
前記視覚誘導部は、紙幣を取り出すべき前記集積部の前記扉を開ける請求項１〜７のいずれか１項に記載の紙幣処理装置。
【請求項９】
表示部を備え、
前記視覚誘導部は、前記表示部に、紙幣を取り出すべき前記集積部の情報を表示させる請求項１〜８のいずれか１項に記載の紙幣処理装置。
【請求項１０】
前記処理部は、複数の集積部に、互いに種類の異なる紙幣を集積し、
前記視覚誘導部は、前記表示部に、前記集積部から取り出すべき紙幣の種類を表示することによって、紙幣を取り出すべき前記集積部を特定する請求項９に記載の紙幣処理装置。
【請求項１１】
前記表示部は、前記複数の集積部のレイアウトに対応して、複数の集積部に関する表示を行い、
前記視覚誘導部は、前記表示部に表示されている複数の集積部のレイアウト上で、紙幣を取り出すべき集積部を明示する請求項９又は１０に記載の紙幣処理装置。
【請求項１２】
ユーザが誤った集積部から紙幣を取り出したときに、警告を行う警告部を備えている請求項１〜１１のいずれか１項に記載の紙幣処理装置。
【請求項１３】
前記警告部は、表示によって警告するよう構成されている請求項１２に記載の紙幣処理装置。
【請求項１４】
前記警告部は、音によって警告するよう構成されている請求項１２又は１３に記載の紙幣処理装置。
【請求項１５】
前記処理部は、前記集積部の集積容量を超えるバッチ枚数の紙幣を集積するバッチ処理を開始し、前記集積部に前記集積容量以下の所定枚数の紙幣を集積したときに、前記視覚誘導部は前記集積部について第１視覚誘導を行い、
前記処理部は、前記集積部に集積した紙幣の累積枚数が前記バッチ枚数に到達したときに、前記集積部について第２視覚誘導を行う請求項１〜５のいずれか１項に記載の紙幣処理装置。
【発明の詳細な説明】
【技術分野】
【０００１】
ここに開示する技術は、紙幣処理装置に関する。
【背景技術】
【０００２】
特許文献１には、複数の取引にまたがったバッチ処理が可能に構成された紙幣整理機が記載されている。また、特許文献２には、紙幣の種類等に応じて、複数の集積部に紙幣を分類しながら集積する紙幣処理機が記載されている。この紙幣処理機においても、集積部に設定枚数の紙幣を集積させるバッチ処理が可能に構成されている。
【先行技術文献】
【特許文献】
【０００３】
【特許文献１】特開平９−１０６４６５号公報
【特許文献２】特開平９−１５３１６８号公報
【発明の概要】
【発明が解決しようとする課題】
【０００４】
紙幣処理装置においてバッチ処理が完了したときには、集積部に集積された紙幣をオペレータが手で取り出すことになる。ここで、紙幣処理装置において、複数の集積部のそれぞれにおいてバッチ処理が完了すると、どの集積部から紙幣を取り出すべきか、わからなくなる場合がある。
【０００５】
特に、紙幣処理装置において処理をした紙幣のデータと、現物紙幣とを対応付けて管理をする場合、誤った集積部から紙幣を取り出してしまうと、紙幣のデータと、現物紙幣とが対応しなくなる虞がある。例えば大束紙幣を作成するためにバッチ処理を行う場合に、現物紙幣を大束単位で管理すると共に、大束単位で一つの紙幣データを作成して対応付けるとする。誤った集積部から紙幣を取り出してしまうと、当該紙幣を別の大束に含めてしまうことになり、紙幣のデータと、現物紙幣とが対応しなくなる。集積部からの紙幣の誤取り出しは、大束紙幣を作成する場合に限らず、カセットに紙幣を装填するためにバッチ処理を行う場合や、ＡＴＭに紙幣を装填するためにバッチ処理を行う場合にも同様に起こり得る。
【０００６】
ここに開示する技術は、かかる点に鑑みてなされたものであり、その目的とするところは、複数の集積部を備えた紙幣処理装置において、バッチ処理の際に、集積部からの紙幣の誤取り出しを防止することにある。
【課題を解決するための手段】
【０００７】
ここに開示する技術は、紙幣処理装置に係る。この紙幣処理装置は、紙幣を集積すると共に、ユーザが開口を通じて集積した紙幣を取り出し可能に構成された複数の集積部と、設定されたバッチ枚数の紙幣を前記集積部に集積させるバッチ処理を行うよう構成された処理部と、前記集積部に集積した紙幣が前記バッチ枚数に到達したときに、前記紙幣を取り出すべき集積部を、視覚的にユーザに示す視覚誘導部と、を備えている。
前記処理部は、前記集積部の集積容量を超えるバッチ処理を行うときには、前記集積容量以下の所定枚数を集積した時点で、前記紙幣の集積を停止すると共に、前記集積部から前記紙幣が取り出された後に、前記紙幣の集積を再開する。
前記視覚誘導部は、前記集積部に集積した紙幣の累積枚数が前記バッチ枚数に到達したときに、前記集積部について視覚誘導を行う。
【０００８】
この構成によると、複数の集積部を備えた紙幣処理装置において、集積部に集積した紙幣がバッチ枚数に到達したときに、視覚誘導部は、紙幣を取り出すべき集積部を、視覚的にユーザに示す。これにより、ユーザは、紙幣を取り出すべき集積部を明確に認識することができるから、紙幣の誤取り出しを防止することが可能になる。
【０００９】
また、集積部の集積容量を超えるバッチ処理を行うときには、集積部から紙幣を取り出すことを、複数回、繰り返すことになる。このため、誤取り出しになりやすくかつ、誤って取り出してしまうと、現物紙幣とデータファイルとが対応しなくなる。
【００１０】
これに対し、前記の構成では、視覚誘導部によって、ユーザが、集積部から誤って紙幣を取り出すことが防止されるから、集積部の集積容量を超えるバッチ処理を行うときにおいて、現物紙幣とデータファイルとを確実に対応させることが可能になる。
【００１１】
また、視覚制御部は、集積部に集積した紙幣の累積枚数がバッチ枚数に到達したときに、言い換えると、複数回、繰り返す紙幣の取り出しの内の最後の取り出しの際に、集積部について視覚誘導を行う。複数回に分けて集積するときの途中においては、集積部から紙幣を取り出す順番が前後することは許容されるが、最後の取り出しの際に、誤った集積部から紙幣を取り出してしまうと、現物紙幣とデータファイルとが対応しなくなる。前記の構成では、集積部に集積した紙幣の累積枚数がバッチ枚数に到達したときに、集積部について視覚誘導を行うことで、誤った集積部から紙幣を取り出すことが確実に防止される。
【００１２】
前記視覚誘導部は、視覚誘導を行うときには、一つの集積部について行う、としてもよい。
【００１３】
つまり、複数の集積部のそれぞれで、集積した紙幣がバッチ枚数に到達したときでも、視覚誘導を行う集積部は一つである。従って、ユーザは、紙幣を取り出すべき集積部を明確に認識することができるから、紙幣の誤取り出しを防止することが可能になる。ユーザが正しい集積部から紙幣を取り出した後は、視覚誘導部は、次に紙幣を取り出すべき集積部（一つの集積部）を、視覚的に誘導するようにすればよい。こうすることで、ユーザは、順番を誤ることなく正しい順番で、複数の集積部から紙幣を、順次、取り出すことが可能になる。
【００１４】
前記視覚誘導部は、複数の集積部のうち、先にバッチ枚数に到達した前記集積部について視覚誘導を行う、としてもよい。
こうすることで、バッチ枚数に到達した順番に従って、ユーザに対して、紙幣を取り出すべく集積部を示すことが可能になる。
【００１５】
前記バッチ処理を行った前記紙幣に関するデータファイルを作成するよう構成されたファイル作成部を備え、前記ファイル作成部が作成する前記データファイルの作成単位は、現物紙幣の管理単位に対応する、としてもよい。
【００１６】
前述したように、視覚誘導部によって、ユーザが集積部から誤って紙幣を取り出すことが防止されるから、現物紙幣の管理単位と、データファイルの作成単位とを対応づける構成において、現物紙幣とデータファイルとが対応しなくなることを、防止することが可能になる。
【００１７】
前記紙幣処理装置は、前記バッチ処理を行った前記紙幣に関するデータファイルを作成するよう構成されたファイル作成部を備え、前記ファイル作成部は、前記累積枚数が前記バッチ枚数に到達したときに前記バッチ処理が完了したとして、前記集積部に複数回に分けて集積した前記紙幣の情報を含むデータファイルを作成する、としてもよい。
【００１８】
集積部の集積容量を超えるバッチ処理を行うときには、集積部から紙幣を取り出すことを、複数回、繰り返すことになり、集積部に複数回に分けて集積した紙幣の情報を含むデータファイルが作成される。前記の構成では、現物紙幣とデータファイルとを確実に対応させることが可能になる。
【００１９】
前記処理部は、前記集積部の集積容量を超えるバッチ枚数の紙幣を集積するバッチ処理を開始し、前記集積部に前記集積容量以下の所定枚数の紙幣を集積したときに、前記視覚誘導部は前記集積部について第１視覚誘導を行い、前記処理部は、前記集積部に集積した紙幣の累積枚数が前記バッチ枚数に到達したときに、前記集積部について第２視覚誘導を行う、としてもよい。
【００２０】
前記複数の集積部は、集積している紙幣が前記開口から突出するように紙幣を押し出す押出機構を有し、前記視覚誘導部は、前記押出機構によって、紙幣を取り出すべき前記集積部の紙幣を、前記開口から突出させる、としてもよい。
【００２１】
紙幣を取り出すべき集積部においては、紙幣が開口から突出するため、紙幣を誤って取り出すことが防止される。
【００２２】
前記複数の集積部はそれぞれ、その内部又は開口付近を照らす照明部を有し、前記視覚誘導部は、前記照明部によって、紙幣を取り出すべき前記集積部を照らす、としてもよい。
【００２３】
紙幣を取り出すべき集積部においては、照明部によって集積部が照らされることで、他の集積部と区別されるため、紙幣を誤って取り出すことが防止される。
【００２４】
前記複数の集積部はそれぞれ、前記開口を開閉する扉を有し、前記視覚誘導部は、紙幣を取り出すべき前記集積部の前記扉を開ける、としてもよい。
【００２５】
紙幣を取り出すべき集積部においては、扉が開いて開口が開くことで、紙幣の取り出しが可能になる一方、紙幣を取り出すべきでない集積部は、扉が閉じていて紙幣を取り出すことが、実質的にできないため、紙幣を誤って取り出すことが、より一層確実に防止される。
【００２６】
紙幣処理装置は、表示部を備え、前記視覚誘導部は、前記表示部に、紙幣を取り出すべき前記集積部の情報を表示させる、としてもよい。
【００２７】
紙幣を取り出すべき集積部の情報が、表示部に表示されるため、ユーザが、誤って紙幣を取り出すことが防止される。
【００２８】
前記処理部は、複数の集積部に、互いに種類の異なる紙幣を集積し、前記視覚誘導部は、前記表示部に、前記集積部から取り出すべき紙幣の種類を表示することによって、紙幣を取り出すべき前記集積部を特定する、としてもよい。
【００２９】
取り出すべき紙幣の種類を表示するため、ユーザは、取り出すべき紙幣を認識することができ、誤った集積部から紙幣を取り出すことが防止される。
【００３０】
前記表示部は、前記複数の集積部のレイアウトに対応して、複数の集積部に関する表示を行い、前記視覚誘導部は、前記表示部に表示されている複数の集積部のレイアウト上で、紙幣を取り出すべき集積部を明示する、としてもよい。
【００３１】
ここで、表示部に、紙幣を取り出すべき集積部を明示するとは、例えば表示部に表示されている複数の集積部のレイアウト上で、紙幣を取り出すべき集積部を点滅表示させたり、当該集積部の色を変えたりするとしてもよい。こうすることで、ユーザは、紙幣を取り出すべき集積部を、明確に認識することができるから、誤って紙幣を取り出すことが防止される。
【００３２】
ユーザが誤った集積部から紙幣を取り出したときに、警告を行う警告部を備えている、としてもよい。
【００３３】
こうすることで、誤った集積部から紙幣を取り出しても、ユーザは誤りに気づくから、紙幣を戻して、正しい集積部から紙幣を取り出し直すことが可能になる。
【００３４】
前記警告部は、表示によって警告するよう構成されている、としてもよい。また、前記警告部は、音によって警告するよう構成されている、としてもよい。
【発明の効果】
【００３５】
以上説明したように、ここに開示する技術は、バッチ処理の際に、集積部からの紙幣の誤取り出しを防止することができる。
【図面の簡単な説明】
【００３６】
【図１】図１は、紙幣処理装置の外観図である。
【図２】図２は、紙幣処理装置の概略構成図である。
【図３】図３は、紙幣処理装置の構成を示すブロック図である。
【図４】図４は、紙幣処理装置において設定されている業務と、各業務に対応して設定される機能を示す図である。
【図５】図５は、タッチパネルに表示される、業務選択画面を例示する図である。
【図６】図６は、正損分け業務を選択した場合に、タッチパネルに表示される機能設定画面を例示する図である。
【図７】図７は、大束正損分け業務を選択した場合に、タッチパネルに表示される機能設定画面を例示する図である。
【図８】図８は、プルダウンメニューによってバッチ枚数を設定する設定画面を例示する図である。
【図９】図９は、バッチ枚数の設定のための、枚数選択画面を例示する図である。
【図１０】図１０は、業務に応じて設定される、現物紙幣の管理単位と、出力用データファイルの作成単位との対応を示す図である。
【図１１】図１１は、出力用データファイルと、出力用データファイルに含まれる紙幣データとを示す図である。
【図１２】図１２は、預入業務、払出業務、正損分け業務、及び、記番号記録業務において、タッチパネルに表示される画面を例示する図である。
【図１３】図１３は、カセット回収業務において、タッチパネルに表示される画面を例示する図である。
【図１４】図１４は、カセット番号入力画面を例示する図である。
【図１５】図１５は、カセット装填業務において、タッチパネルに表示される画面を例示する図である。
【図１６】図１６は、大束正損分け業務において、タッチパネルに表示される画面を例示する図である。
【図１７】図１７は、カセット装填業務において、紙幣を取り出すべきスタッカをユーザに明示する画面を例示する図である。
【図１８】図１８は、カセット装填業務又はＡＴＭ装填業務において、バッチ枚数に達したことを示す画面を例示する図である。
【図１９】図１９は、ここに開示する技術が適用可能な紙幣整理機の外観構成を例示する図である。
【図２０】図２０は、ここに開示する技術が適用可能な紙幣分類結束装置の外観構成を例示する図である。
【発明を実施するための形態】
【００３７】
以下、実施形態を図面に基づいて詳細に説明する。
【００３８】
〈紙幣処理装置の概略構成〉
図１は、紙幣処理装置１００の外観図を示し、図２は、紙幣処理装置１００の概略構成図を示す。紙幣処理装置１００は、バラ状態の紙幣を取り込み、紙幣の計数を行うと共に、紙幣の種類や状態に応じて分類をし、集積する機能を有する紙幣整理機である。紙幣処理装置１００は、紙幣を結束する機能も有する。
【００３９】
紙幣処理装置１００は、例えば現金センター等において、各種の業務を行う際に利用される。紙幣処理装置１００を利用して行う業務には、紙幣処理装置１００が紙幣の正損を分類する正損分け業務、正券及び／又は損券の大束を作成するために、紙幣処理装置１００が、紙幣の正損を分類しかつ、設定した枚数の正券又は損券を集積する大束正損分け業務、紙幣処理装置１００が、カセットから回収した紙幣を計数しかつ、分類するカセット回収業務、紙幣処理装置１００が、カセットに装填する紙幣として、設定した枚数の紙幣を集積するカセット装填業務、紙幣処理装置１００が、ＡＴＭから回収した紙幣を計数しかつ、分類するＡＴＭ回収業務、紙幣処理装置１００が、ＡＴＭに装填する紙幣として、設定した枚数の紙幣を集積するＡＴＭ装填業務、及び、紙幣処理装置１００が、紙幣の記番号を読み取って記録する記番号記録業務が含まれる。カセット装填業務では、空のカセットに対して紙幣を装填する場合や、紙幣を収容しているカセットに対し紙幣を装填して満杯にする場合がある。従って、カセット装填業務では、装填枚数（つまり、バッチ枚数）を任意に設定することが可能である。これは、ＡＴＭ装填業務においても同様である。
【００４０】
また、紙幣処理装置１００は、例えば銀行のテラーカウンタに設置され、そこにおいて、各種の業務を行う際に利用される場合もある。テラーカウンタにおいて行う業務には、紙幣処理装置１００が、預け入れをする紙幣を計数する預入業務、紙幣処理装置が、払い出す紙幣を計数する払出業務が含まれる。
【００４１】
紙幣処理装置１００はさらに、前述した各業務の遂行に利用されるときには、処理を行った紙幣に関する情報（紙幣の情報）を出力用データファイルとして、上位端末１４０（図３参照）等に出力するように構成されている。
【００４２】
尚、この紙幣処理装置１００は、各業務における処理の一部を行う際に利用されるものであり、この紙幣処理装置１００によって、各業務の遂行に必要な全ての処理が可能になるのではない。
【００４３】
また、紙幣処理装置１００が利用される業務は、前述した業務に限定されるのではなく、これらの業務以外の業務に利用される場合もある。また、これらの業務の一部にのみ利用される場合もある。
【００４４】
紙幣処理装置１００は、紙幣が載置され、該紙幣を取り込むホッパ部２と、紙幣を識別する識別部３と、結束を行う紙幣を集積する、集積部の一つとしての結束スタッカ４と、結束を行わない紙幣を集積する、集積部の一つとしての非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００４５】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００４６】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束スタッカ４は、結束を行わない紙幣を集積することも可能である。
【００４７】
結束スタッカ４は、筐体１２の側面に開口する第１取出口４７を開閉する扉４３（図１参照）を有している。扉４３は、透明又は半透明な材料（例えば、ガラスや樹脂）で構成され、それによって、外部から内部を目視可能に構成されている。
【００４８】
詳細な図示は省略するが、扉４３はロック機構４４を有している。結束スタッカ４に紙幣を集積しているときには、扉４３が開かないように、ロック機構４４がロック状態になる。結束スタッカ４から、結束を行わない紙幣を取り出すときには、ロック機構４４がアンロック状態になる。これにより、付勢手段によって付勢された扉４３は自動的に開いて、第１取出口４７を開放する。
【００４９】
結束スタッカ４には、その内部又は第１取出口４７付近を照射する照明装置（例えばＬＥＤ（Light Emitting Diode：発光ダイオード）からなる照明部）４６が取り付けられている（図２にのみ示す）。照明装置４６は、結束スタッカ４から紙幣を取り出すときに、結束スタッカ４辺りを照らす。
【００５０】
結束スタッカ４は、結束スタッカ４内の紙幣を検知する集積センサ４５を有している。集積センサ４５は、光を送信する送信部と光を受信する受信部とを有し、送信部から出射されて受信部に到達する光が遮断されることによって紙幣を検知する。尚、後述する集積センサ５２、紙幣センサ２５、及び、通過センサ７４も同様の構成をしている。集積センサ４５は、結束スタッカ４内の紙幣により光が遮断されるように配置されている。つまり、集積センサ４５は、光が遮断されることによって、結束スタッカ４内に紙幣が存在していることを検知することができる。集積センサ４５は、結束スタッカ４から紙幣が取り出されたときには、そのことを検知することができる。
【００５１】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。非結束スタッカ５は、筐体１２の側面に開口する第２取出口５３を有している。
【００５２】
非結束スタッカ５には、集積された紙幣を第２取出口５３の方へ押し出すための押出機構５４が設けられている。押出機構５４は、非結束スタッカ５の奥側（第２取出口５３と反対側）に設けられており、奥側から手前側（第２取出口５３の側）に紙幣を押し出すように構成されている。これにより、図１に概念的に示すように、紙幣は、第２取出口５３から突出するようになる。
【００５３】
非結束スタッカ５には、その内部又は第２取出口５３付近を照射する照明装置（例えばＬＥＤからなる照明部）５５が取り付けられている。照明装置５５は、非結束スタッカ５から紙幣を取り出すときに、非結束スタッカ５辺りを照らす。
【００５４】
非結束スタッカ５は、非結束スタッカ５内の紙幣を検知する集積センサ５２を有している。集積センサ５２は、集積センサ４５と同様の構成をしている。集積センサ５２は、非結束スタッカ５内に紙幣が存在することを検知することができる。また、集積センサ５２は、非結束スタッカ５から紙幣が取り出されたときには、そのことを検知することができる。
【００５５】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣の一長辺を先頭として（紙幣の短辺に平行な方向に）紙幣が取り込まれていくように、紙幣がホッパ部２に載置される。
【００５６】
紙幣センサ２５は、取込口２４の近傍に設けられている。紙幣センサ２５は、集積センサ４５と同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００５７】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣の一長辺が先頭になるように（紙幣の短辺に平行な方向に）紙幣を搬送していく。
【００５８】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、通貨、金種、発行年、新旧、真偽、及び正損を識別する。新旧は、紙幣の版（バージョン）を示す情報である。例えば１００元札ならば、それが旧版（１９８０年第４版、１９９０年第４版改訂版）に該当するのか、新版（２００５年第５版）に該当するのかを特定する情報である。
【００５９】
識別部３は、紙幣の正損を、ＡＴＭ正券（ＡＴＭ）、テラー正券（ＴＬＲ）、及び損券（ＵＮＦＩＴ）の３つのレベルに分類する。ＡＴＭ正券は、ＡＴＭから出金する紙幣として使用できるレベルの正券であり、テラー正券は、ＡＴＭから出金する紙幣として使用できるレベルにないが、銀行のテラーカウンタで出金する紙幣としては使用できるレベルの正券である。尚、紙幣の正損を２つのレベルに分類してもよい。その場合、識別部３は、紙幣の正損を、ＡＴＭ正券（ＡＴＭ）及びテラー正券（ＴＬＲ）を含む正券（ＦＩＴ）、並びに、損券（ＵＮＦＩＴ）の２つのレベルに分類する。尚、以下の説明では、正損のレベルを「正損レベル」と称する場合がある。
【００６０】
識別部３はまた、紙幣の識別の際に、紙幣のイメージデータを取得する。取得したイメージデータは、後述する記憶部１３１に記憶される。識別部３は、イメージデータとして、紙幣の全体画像を取得し、その全体画像から、記番号を含むエリアを切り出して、エリア画像を作成し、さらに、そのエリア画像に基づいて、一文字毎の二値化セグメント画像を作成する。識別部３は、二値化セグメント画像についてＯＣＲ処理を行い、記番号を読み取る。記憶部１３１には、全体画像、エリア画像、及び、二値化セグメント画像の少なくとも一つが記憶される。
【００６１】
結束部９は、集積された紙幣を結束する。結束部９は、テープ輪Ｌを作成し、該テープ輪Ｌの中へ紙幣が搬送された後にテープを引き戻し、紙幣をテープで結束する。
【００６２】
第２搬送部８は、結束スタッカ４に集積された紙幣を把持して、該紙幣をテープ輪Ｌの中へ搬送する。第２搬送部８は、上アーム部８１ａと下アーム部８１ｂとによって紙幣を把持する把持ユニット８１と、把持ユニット８１を水平方向であって且つ紙幣の一長辺が先頭となる（紙幣の短辺に平行となる）方向へ移動させる第１水平移動機構と、把持ユニット８１を水平方向であって且つ紙幣の一短辺が先頭となる（紙幣の長辺に平行となる）方向へ移動させる第２水平移動機構と、把持ユニット８１を上下方向へ移動させる上下移動機構とを有している。
【００６３】
結束部９は、図２に示すように、テープを供給するテープ供給部９１と、テープでテープ輪Ｌを作成するテープ輪作成部９２と、テープを紙幣に巻き付けた状態でテープ同士を接合するヒータ９５と、テープを紙幣に巻き付けられていない位置で切断するカッタ９６と、テープに印字する印字部９７と、テープに押印する押印部９８とを有している。
【００６４】
テープ供給部９１は、テープがリールに巻き付けられたテープリール９１１と、テープリール９１１から引き出されるテープを搬送するテープ搬送部９１２と、を有している。テープ搬送部９１２は、テープを所定の搬送路に沿って搬送する。テープ搬送部９１２は、図示は省略するが、ガイドと複数のローラ対とを有している。
【００６５】
テープ輪作成部９２は、図２に破線で示すように、テープでテープ輪Ｌを作成し、集積された紙幣が該テープ輪Ｌの中に配置された後に該テープを引き戻して該テープを該紙幣に巻き付ける。
【００６６】
第３搬送部１０は、結束紙幣を投出部１１まで搬送する。第３搬送部１０は、上把持部１０１と、下把持部１０２と、上把持部１０１及び下把持部１０２を、水平方向であってかつ、紙幣の一長辺が先頭となる（紙幣の短辺に平行となる）方向へ移動させる水平移動機構とを有している。
【００６７】
筐体１２の側面には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００６８】
また、筐体１２の側面における第２取出口５３の近傍には、２つの第２取出口５３のそれぞれに対応するように、２つの表示部が設けられている。本実施形態では、表示部の一例として、セグメント型の液晶パネル１８が設けられている。液晶パネル１８は、後述のように、非結束スタッカ５に集積されている紙幣の金種及び版を表示する。さらに、筐体１２の側面における第１取出口４７の近傍に、２つの第１取出口４７のそれぞれに対応するように、２つの表示部を設けてもよい。これらの表示部を、紙幣処理装置１００が行う処理に関する情報を表示する表示部とすることもできる。
【００６９】
〈紙幣処理装置のシステム構成〉
図３に、紙幣処理装置１００の概略構成を示すブロック図を示す。
【００７０】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、第１搬送部７、第２搬送部８、結束部９、第３搬送部１０、タッチパネル１７及び液晶パネル１８が、信号の送受信可能に接続されている。また、制御部１２０には、紙幣センサ２５、集積センサ４５、集積センサ５２、通過センサ７４が接続され、それらの検出信号が入力されるように構成されている。さらに、制御部１２０には、各種の情報を記憶する記憶部１３１、有線又は無線の通信線を介して上位端末（例えばサーバ）１４０に対し信号を入出力する通信部１３２、及び入出力部１３３がそれぞれ接続され、制御部１２０と、記憶部１３１、通信部１３２及び入出力部１３３との間で、各種の信号を入出力するように構成されている。入出力部１３３は、紙幣処理装置１００の外部装置が接続される入出力ポートを構成する。紙幣処理装置１００には、例えばプリンタ１４１、ＳＤカード等の各種のメモリカード１４２、フラッシュメモリ等の記憶部を有する記憶ドライブ１４３、及び、バーコードや、二次元コードを読み取るコードリーダー１４４が、入出力部１３３を介して接続される。また、紙幣処理装置１００には、オペレータが誤った操作等をおこなった際に、音によって警告を行う警告部としてのブザー１４５が設けられている。ブザー１４５は制御部１２０によって作動する。
【００７１】
制御部１２０は、タッチパネル１７からの入力信号及び各種センサからの検知信号等に基づいて制御信号を生成し、ホッパ部２等へ該制御信号を出力する。ホッパ部２等は、制御部１２０からの制御信号に従って動作する。制御部１２０は、紙幣処理装置１００において、バッチ処理を含む各種の処理を行う処理部を構成する。
【００７２】
〈紙幣処理装置の基本的な動作〉
以下、紙幣処理装置１００の動作について説明する。紙幣処理装置１００は、基本的に、ホッパ部２に載置された紙幣について、識別部３が識別等を行うと共に、その識別結果と、予め設定した分類ルールとに従って、紙幣を、第１及び第２結束スタッカ４Ａ、４Ｂ、並びに、第１及び第２非結束スタッカ５Ａ、５Ｂに分けて集積することにより、紙幣を分類する動作を行う。分類ルールは、各スタッカ４、５に集積する紙幣を、通貨、金種、新旧の版、正損（ＡＴＭ正券、テラー正券、正券、及び損券）等によって特定することにより設定される。
【００７３】
まず、オペレータは、処理対象の紙幣をホッパ部２へ載置する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【００７４】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣に関する情報（少なくとも金種、発行年数、新旧情報、正損情報、記番号を含む）を取得し、紙幣情報を制御部１２０へ通知する。
【００７５】
制御部１２０は、紙幣に関する情報と、予め設定されている分類ルールとに応じて、当該紙幣に対応する搬送先、つまり、第１結束スタッカ４Ａ、第２結束スタッカ４Ｂ、第１非結束スタッカ５Ａ、又は、第２非結束スタッカ５Ｂを決定する。第１搬送部７は、決定した搬送先に基づいて、紙幣を、第１結束スタッカ４Ａ、第２結束スタッカ４Ｂ、第１非結束スタッカ５Ａ、又は、第２非結束スタッカ５Ｂに搬送する。
【００７６】
尚、第１結束スタッカ４Ａ、及び、第２結束スタッカ４Ｂが共に、同一種類の紙幣を集積する分類ルールであれば、２つの結束スタッカ４のうち一方の結束スタッカ４へ紙幣が搬送される。一方の結束スタッカ４に集積された紙幣の枚数が所定の枚数（例えば、１００枚）に達すると、それ以降の紙幣は、他方の結束スタッカ４へ搬送される。第１非結束スタッカ５Ａ、及び、第２非結束スタッカ５Ｂが共に、同一種類の紙幣を集積する分類ルールであるときも、同様である。尚、紙幣がリジェクト紙幣であるときには、制御部１２０は、搬送先をリジェクトスタッカ６とする。リジェクト紙幣は、指定外紙幣、異常紙幣、搬送異常紙幣、及び偽券を含む。指定外紙幣は、正常な紙幣であると判定されたものの、その紙幣の搬送先が、第１結束スタッカ４Ａ、第２結束スタッカ４Ｂ、第１非結束スタッカ５Ａ、又は、第２非結束スタッカ５Ｂのいずれにも設定されていない紙幣である。異常紙幣は、識別部３で取得した情報に基づいて、紙幣であることが判定できなかったものである。搬送異常紙幣は、斜行や連鎖などの搬送異常により、紙幣に関する情報を正常に取得できなかった紙幣である。偽券は、紙幣に関する情報と、予め記憶された偽券情報とを照合した結果、偽券である可能性があると判定された紙幣である。
【００７７】
紙幣処理装置１００は、紙幣を分類しながら、結束スタッカ４、又は、非結束スタッカ５に、所定枚数（つまり、設定されたバッチ枚数）の紙幣を集積させるバッチ処理を行うことが可能である。バッチ処理時には、結束スタッカ４、又は、非結束スタッカ５において設定されたバッチ枚数の紙幣が集積されると、そのスタッカでは、新たな紙幣の集積が禁止される。結束スタッカ４に、バッチ枚数の紙幣が集積されると、ロック機構４４がアンロック状態になって、扉４３が開く。また、照明装置４６が、紙幣を取り出すべき結束スタッカ４の内部又は第１取出口４７付近を照らす。オペレータは、第１取出口４７を通じて結束スタッカ４から紙幣を取り出すことができる。また、非結束スタッカ５に、バッチ枚数の紙幣が集積されると、押出機構５４が紙幣を押し出す。また、照明装置５５が、紙幣を取り出すべき非結束スタッカ５の内部又は第２取出口５３付近を照らす。オペレータは、第２取出口５３を通じて非結束スタッカ５から紙幣を取り出す。紙幣の取り出しが完了したことは、集積センサ４５及び集積センサ５２によって検知され、取り出し完了後は、自動で、又は、手動で、そのスタッカへの新たな紙幣の集積が再開する。
【００７８】
また、結束スタッカ４に集積した紙幣を結束する場合、結束スタッカ４に、設定された結束枚数の紙幣が集積されると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープで結束する。結束紙幣は、第３搬送部１０によって、投出部１１から投出される。
【００７９】
〈紙幣処理装置を利用した業務〉
前述したように、この紙幣処理装置１００は、預入業務、払出業務、正損分け業務、大束正損分け業務、カセット回収業務、カセット装填業務、ＡＴＭ回収業務、ＡＴＭ装填業務、記番号記録業務の各種の業務における一部の処理を行う際に利用される。この紙幣処理装置１００は、様々な機能を有する汎用の紙幣整理機であり、前述の各業務に利用する場合、それらの機能を個別に設定することが必要となる。
【００８０】
紙幣処理装置１００は具体的に、以下の各機能を、少なくとも有している。
（１）紙幣の結束を行う機能（結束機能）
（２）分類ルールに従って紙幣を所定の搬送先に搬送する機能（搬送カテゴリ設定機能）、
（３）正損レベル別に、結束スタッカ４又は非結束スタッカ５の最大集積容量を超える枚数の紙幣を集積する特定バッチ処理機能（正損バッチ機能）、
（４）前記正損バッチ処理が完了した際に、結束スタッカ４又は非結束スタッカ５から紙幣を取り出した後、紙幣処理装置１００の動作の再開を手動で行う機能（つまり、正損バッチ処理が完了したことを条件として紙幣の繰り出しを停止する繰出停止機能）、及び、
（５）紙幣処理装置１００において処理を行った紙幣に関する情報が印刷されたラベルをプリンタ１４１によって印刷する機能（ラベル印刷機能）である。
【００８１】
尚、これら（１）〜（５）の機能以外にも、紙幣処理装置１００は、結束スタッカ４又は非結束スタッカ５に、最大集積容量以下の枚数の紙幣を集積する、通常のバッチ処理機能も有している。
【００８２】
紙幣処理装置１００が有する機能は、前記の機能に限らず、これらの機能とは異なる機能を有していてもよい。また、紙幣処理装置１００は、これらの機能の一部のみを有していてもよい。
【００８３】
ここで、正損バッチ機能及び繰出停止機能について、詳細に説明をする。前記の通り、正損バッチ機能は、バッチ枚数が結束スタッカ４の集積容量、又は、非結束スタッカ５の集積容量を超えるバッチ処理（特定バッチ処理）を行う機能である。例えば、大束正損分け業務において大束枚数が１０００枚とされた場合、バッチ枚数は１０００枚である。また、カセット装填業務では、カセットの最大収納枚数が２０００枚とすると、空のカセットに紙幣を装填する場合は、バッチ枚数は、例えば２０００枚である。結束スタッカ４及び非結束スタッカ５の集積容量は、５００枚以下の枚数に設定されていることが多い。そのため、大束枚数やカセットの最大収納枚数は、結束スタッカ４や非結束スタッカ５の集積容量を超える場合がある。また、ＡＴＭ装填業務において装填枚数が２５００枚の場合、バッチ枚数は、例えば２５００枚である。
【００８４】
大束正損分け業務では、結束スタッカ４や非結束スタッカ５の集積容量を超える特定バッチ処理を行うために、例えばバッチ枚数を１００枚（尚、このバッチ枚数は、結束スタッカ４や非結束スタッカ５の集積容量以下である）とした通常のバッチ処理を、１０回、繰り返す。具体的には、１００枚の紙幣が、結束スタッカ４又は非結束スタッカ５に集積されたときに、紙幣処理装置１００は、オペレータが、結束スタッカ４又は非結束スタッカ５から、１００枚の紙幣を取り出すまで、そのスタッカへの新たな紙幣の集積を禁止する。オペレータがそのスタッカから紙幣を取り出した後に、紙幣処理装置１００はそのスタッカへの新たな紙幣の集積を再開し、１００枚の紙幣が、結束スタッカ４又は非結束スタッカ５に再び集積されるようにする。そして、オペレータが紙幣を取り出すまで待機する。このように、正損バッチ機能を実行するときには、オペレータは、結束スタッカ４又は非結束スタッカ５に１００枚の紙幣が集積される度に、そこから紙幣を取り出すことになる。
【００８５】
大束正損分け業務では、１０００枚の正券が分類された（つまり、バッチが達成した）ときに、大束に貼付するためのラベルを印刷しかつ、そのラベルを大束に貼り付ける。カセット装填業務では、例えば２０００枚のＡＴＭ正券が分類されたときに、装填が完了したカセットを所定の位置に置き、次に装填するカセットを手元に準備する。
【００８６】
このように、大束正損分け業務、カセット装填業務、及びＡＴＭ装填業務においては、紙幣の取り出しを繰り返し行うことになるが、そのどこかで、１０００枚や２０００枚の特定バッチ処理が完了することになる。大束を次々と作成する場合や、カセットの装填を次々に行う場合、オペレータは、いつ、特定バッチ処理が完了したのかがわかりにくい。また、特定バッチ達成時にオペレータは、ラベルの貼付やカセットの準備といった付帯作業を行わなければならない。これらのことが、オペレータのミスを招く虞がある。
【００８７】
そこで、この紙幣処理装置１００では、繰出停止機能を設けている。繰出停止機能は、前述したように、大束正損分け業務、カセット装填業務、及びＡＴＭ装填業務において、特定バッチ処理が完了したことを条件として紙幣処理装置１００の繰出動作を停止する機能である。さらに、特定バッチ処理が完了した後に、オペレータが結束スタッカ４又は非結束スタッカ５から紙幣を取り出したとしても、紙幣処理装置１００の繰出動作を停止させたままにすることが好ましい。こうすることで、オペレータは、一つの正損バッチ処理が完了したことを確実に認識することが可能になる。オペレータは、例えば付帯作業を行った後に、紙幣処理装置１００において所定の操作（例えばタッチパネル１７に設けられた再開ボタンの選択操作）を行うことによって、紙幣処理装置１００の繰出動作を再開させることが可能である。これにより、ミスを未然に回避することが可能になる。繰出停止機能は、結束部９において作成した結束紙幣が、投出部１１から投出される場合にも有効である。
【００８８】
一方で、例えば複数のオペレータが協同して一つの業務を遂行している場合等では、特定バッチ処理が完了したことを受けて紙幣処理装置１００の繰出動作を停止せずとも、正確に業務を遂行することが可能である。そのため、この紙幣処理装置１００は、繰出停止機能を、オペレータが有効及び無効にすることが可能に構成されている。繰出停止機能をＯＮにしたとき（有効にしたとき）には、前述したように、特定バッチが達成された時点で紙幣処理装置１００の繰出動作を停止すると共に、紙幣を結束スタッカ４又は非結束スタッカ５から取り出したとしても、紙幣処理装置１００の繰出動作が停止したままになる。紙幣処理装置１００の動作の再開は、オペレータの操作による。一方、繰出停止機能をＯＦＦにしたとき（無効にしたとき）には、特定バッチ処理が完了しても、その特定バッチ処理のために使用している結束スタッカ４又は非結束スタッカ５以外のスタッカに紙幣を集積できる場合には、紙幣処理装置１００の繰出動作を停止しない。さらに、特定バッチ処理のために使用している結束スタッカ４又は非結束スタッカ５から紙幣を取り出した時に、集積センサ４５、５２がそのことを検知して、そのスタッカへの紙幣の集積動作を自動的に再開する。
【００８９】
尚、正損バッチ機能等の特定バッチ処理に限らず、通常のバッチ処理においても、繰出停止機能を有効にしてもよい。
【００９０】
ラベル印刷機能において印刷されるラベルには、例えば銀行情報、装置情報、紙幣情報、及び、それらの情報が格納された二次元コードが印刷される。これらの情報の以外の情報がラベルに印刷される場合もある。また、これらの情報の一部のみがラベルに印刷される場合もある。
【００９１】
〈紙幣処理装置の動作設定〉
（１）〜（５）の各機能は、前述した各業務の遂行に常に必要ではなく、業務によっては、不要な機能もある。例えば、正損分け業務においては、正損バッチ機能は不要であるが、大束正損分け機能においては、正損バッチ機能は必要である。従って、紙幣処理装置１００を、各業務の遂行に利用しようとすれば、必要な機能については、それを有効にしかつ、不要な機能については、それを無効にする設定をしなければならない。
【００９２】
この紙幣処理装置１００は、オペレータによる機能の設定を容易にするために、前述した業務の中から、これから行おうとする業務を選択可能に構成されている。オペレータが業務を選択したときに、前記（１）〜（５）の各機能の内、不要な機能は、自動的に無効となり、それ以外の機能についてのみ、オペレータは、有効・無効の設定、及び、機能を有効にする場合は、その機能の実行に係る詳細な設定が可能となるよう構成されている（つまり、第１モード）。
【００９３】
紙幣処理装置１００はまた、前記第１モードでの動作の他に、（１）〜（５）の機能の一つ一つについて、有効にするか、無効にするかを設定すると共に、機能を有効にする場合に、その詳細な設定（例えば正損バッチ機能であれば、そのバッチ枚数等）を、手動で行うモード（つまり、第２モード）も有している。
【００９４】
図４は、紙幣処理装置１００において選択可能な業務と、紙幣処理装置１００の機能設定との対応を例示している。図４に示す対応関係は、紙幣処理装置１００に記憶されており、制御部１２０は、この対応関係に従って、紙幣処理装置１００を動作させる。
【００９５】
同図において「○」で示す機能は、業務の選択時に設定が可能に構成される機能である。「−」で示す機能は、業務の選択時に設定が不可に構成される機能である。つまり、業務の遂行に不要な機能は、オペレータが業務を選択することに伴い自動的に無効となる。
【００９６】
具体的に、結束機能は、預入業務、払出業務、正損分け業務、大束正損分け業務、カセット回収業務、カセット装填業務、ＡＴＭ回収業務、ＡＴＭ装填業務、及び記番号記録業務の全ての業務において設定可能である。また、搬送カテゴリ設定機能も、全ての業務において設定可能となる。
【００９７】
正損バッチ機能は、大束正損分け業務、カセット装填業務、及びＡＴＭ装填業務においてのみ、設定可能であり、その他の業務では設定不可（つまり、無効）である。また、繰出停止機能も、正損バッチ機能と同様に、大束正損分け業務、カセット装填業務、及びＡＴＭ装填業務においてのみ、設定可能であり、その他の業務では設定不可（つまり、無効）である。ラベル印刷機能は、大束正損分け業務においてのみ、設定可能である。カセット回収業務、カセット装填業務、ＡＴＭ回収業務、ＡＴＭ装填業務、記番号記録業務については、ここに示す例では、仕様として実施しない。つまり、カセット回収業務、カセット装填業務、ＡＴＭ回収業務、ＡＴＭ装填業務、及び、記番号記録業務の各業務において、ラベル印刷を行うようにしてもよい。尚、ここに示す例では、ラベル印刷機能は、預入業務、払出業務、及び正損分け業務においては、不要とされているため設定不可であるが、これらの業務においても設定可能として、ラベル印刷を行うようにしてもよい。
【００９８】
次に、業務選択時の機能設定について、紙幣処理装置１００のタッチパネル１７に表示される画面の例を参照しながら、具体的に説明をする。尚、以下の説明に用いる画面Ｓ１〜Ｓ９は一例であり、画面構成は適宜変更が可能である。
【００９９】
先ず、図５は、初期画面Ｓ１の例を示している。この初期画面Ｓ１は、紙幣処理装置１００を起動し、ログイン処理を行った後に、タッチパネル１７に表示される。初期画面Ｓ１には、各業務を選択するためのボタンが含まれる。初期画面Ｓ１は、業務選択部を構成する。初期画面Ｓ１には、預入業務選択ボタン、払出業務選択ボタン、正損分け業務選択ボタン、大束正損分け業務選択ボタン、カセット回収業務選択ボタン、カセット装填業務選択ボタン、ＡＴＭ回収業務選択ボタン、ＡＴＭ装填業務選択ボタン、及び記番号記録業務選択ボタンが含まれる。初期画面Ｓ１にはまた、第２モード選択ボタンが含まれている。第２モード選択ボタンは、前述したように、業務の選択を行うのではなく、各機能の有効・無効の設定、及び、有効にする場合の当該機能の詳細な設定を、オペレータが一つ一つ行うモードである。オペレータは、初期画面Ｓ１において、いずれかの業務選択ボタンを選択することによって、これから行おうとする業務を選択する。業務選択ボタンを選択したときには、紙幣処理装置１００は、第１モードで動作することになる。また、第２モード選択ボタンを選択したときには、紙幣処理装置１００は、第２モードで動作することになる。尚、初期画面Ｓ１に表示されるボタンは、当該紙幣処理装置１００を利用する業務に応じて、適宜、削除及び追加することが可能である。
【０１００】
図６は、初期画面Ｓ１において、正損分け業務選択ボタンを選択した場合に、タッチパネル１７に表示される機能設定画面Ｓ２を例示している。この機能設定画面Ｓ２には、その左側に、第１及び第２結束スタッカ４Ａ、４Ｂ、並びに、第１及び第２非結束スタッカ５Ａ、５Ｂに集積する紙幣を設定する項目（つまり、搬送カテゴリを設定する項目）を含んでいる。図４に示すように、正損分け業務において搬送カテゴリ設定機能は有効であるため、当該機能設定画面Ｓ２において、その設定が可能に構成されている。図６に示す機能設定画面Ｓ２では、紙幣処理装置１００における第１及び第２結束スタッカ４Ａ、４Ｂ、並びに、第１及び第２非結束スタッカ５Ａ、５Ｂの配置に対応するように、第１及び第２結束スタッカ４Ａ、４Ｂ、並びに、第１及び第２非結束スタッカ５Ａ、５Ｂに集積する紙幣を設定する項目が配置されている。図６の例では、第１及び第２結束スタッカ４Ａ、４Ｂに、ＡＴＭ正券（ＡＴＭ）を集積し、第１非結束スタッカ５Ａに、損券（ＵＮＦＩＴ）を集積し、第２非結束スタッカ５Ｂに、テラー正券（ＴＬＲ）を集積する設定となっている。
【０１０１】
機能設定画面Ｓ２にはまた、その右側に、結束機能の有効・無効を設定する項目、正損バッチ機能におけるバッチ枚数を設定する項目、繰出停止機能を設定する項目、及びラベル印刷機能を設定する項目が含まれている。これらの項目の内、正損分け業務においては、結束機能は設定可能であるが、正損バッチ機能、繰出停止機能、及びラベル印刷機能はそれぞれ設定不可である（図４参照）。このため、当該機能設定画面Ｓ２では、バッチ枚数を設定する項目、繰出停止機能を設定する項目、及びラベル印刷機能を設定する項目が全て設定不可に構成されている（図例では、斜線が引かれている）。
【０１０２】
オペレータは、機能設定画面Ｓ２において、設定可能に構成された項目について設定を行う。その後、適用（ＡＰＰＬＹ）ボタンを選択することによって、選択した業務（ここでは、正損分け業務）についての機能設定が完了する。
【０１０３】
また、機能設定画面Ｓ２の画面右上には、ログインしたオペレータのＩＤが表示されている。
【０１０４】
図７は、初期画面Ｓ１において、大束正損分け業務選択ボタンを選択した場合に、タッチパネル１７に表示される機能設定画面Ｓ３を例示している。この機能設定画面Ｓ３も、図６に示す機能設定画面Ｓ２と構成は同じである。大束正損分け業務においても、搬送カテゴリ設定機能、及び、結束機能は有効であるため、それらの設定が可能である。
【０１０５】
また、大束正損分け業務においては、正損分け業務とは異なり、正損バッチ機能、繰出停止機能、及びラベル印刷機能がそれぞれ有効である（図４参照）。従って、機能設定画面Ｓ３では、これらの各項目の設定が可能である。
【０１０６】
図７に示す例では、紙幣の正損は３つのレベルに分類される。よって、バッチ枚数を設定する項目は、ＡＴＭ正券（ＡＴＭ）、テラー正券（ＴＬＲ）、及び損券（ＵＮＦＩＴ）のそれぞれについて、バッチ枚数を設定することが可能である。図７の例では、ＡＴＭ正券について、バッチ枚数が１０００枚に設定され、テラー正券、及び損券についてはバッチ枚数が設定されていない（つまり、０枚）。尚、紙幣の正損を２つのレベルに分類する場合は、バッチ枚数を設定する項目は、正券（ＦＩＴ）及び損券（ＵＮＦＩＴ）のそれぞれについて、バッチ枚数を設定する。
【０１０７】
ここで、機能設定画面Ｓ３においては、バッチ枚数の設定に際し、図８に示すようにプルダウンメニューが表示されるように構成されている。オペレータは、プルダウンメニューの中から、所望のバッチ枚数を選択することで、バッチ枚数を設定することが可能である。プルダウンメニューによって、オペレータのバッチ枚数の設定の手間を省くことが可能になる。尚、プルダウンメニューを採用する代わりに、図９に示すように、バッチ枚数の候補を含む枚数選択画面Ｓ４を、タッチパネル１７に表示するよう構成してもよい。この構成でも、オペレータのバッチ枚数の設定の手間を省くことが可能になる。尚、プルダウンメニューや枚数選択画面Ｓ４の表示内容は、オペレータがカスタマイズすることができるようになっている。例えば、プルダウンメニュー中の選択項目や、枚数選択画面Ｓ４に表示されるバッチ枚数の候補を追加したり、削除したり、内容を修正したりすることができる。尚、プルダウンメニューや枚数選択画面Ｓ４の表示に代えて、または、これらの表示に加えて、「１００」や「１０００」といった数字を、オペレータが手入力することにより、バッチ枚数の設定を可能に構成してもよい。
【０１０８】
図７の例では、繰出停止機能について、ＡＴＭ正券はＯＮに設定され（つまり、ＡＴＭ正券の特定バッチ達成後、紙幣処理装置１００の繰出動作を停止する。さらに、結束スタッカ４、又は、非結束スタッカ５から紙幣を取り出した後、オペレータが再開操作（例えば、タッチパネル１７上に用意されたボタンの選択）を行うまで、紙幣処理装置１００の繰出動作を再開しない）、それ以外はＯＦＦに設定されている。具体的には、第１及び第２結束スタッカ４Ａ、４Ｂに集積されたＡＴＭ正券の累積枚数が１０００枚になった時点で、紙幣処理装置１００の繰出動作が停止される。繰出停止機能は、正損バッチ処理を行うことを前提とした機能であるため、機能設定画面Ｓ３においては、バッチ枚数が設定されない間は、繰出停止機能の設定が不可となり（つまり、ＯＦＦのままになる）、バッチ枚数が設定されると、繰出停止機能の設定が可能となるように構成してもよい。
【０１０９】
さらに、図７の例では、ラベル印刷機能について、ＡＴＭ正券はＯＮに設定され、それ以外はＯＦＦに設定されている。
【０１１０】
オペレータは、機能設定画面Ｓ３において、設定可能に構成された項目について設定を行う。その後、適用（ＡＰＰＬＹ）ボタンを選択することによって、選択した業務（ここでは、大束正損分け業務）についての機能設定が完了する。
【０１１１】
このように、初期画面Ｓ１において、いずれかの業務選択ボタンを選択したときには、紙幣処理装置１００は第１モードとなり、制御部１２０は、図６又は図７に例示するような、選択した業務に対応する機能設定画面Ｓ２、Ｓ３をタッチパネル１７に表示する。オペレータは、この機能設定画面Ｓ２、Ｓ３において、設定可能な項目についてのみ、設定を行うことによって、紙幣処理装置１００の設定が、選択した業務において利用可能な設定となり、紙幣処理装置１００は、選択した業務に利用可能に動作する。機能設定画面Ｓ２、Ｓ３は、前述の通り、選択した業務に応じて、当該業務に必要となり得る機能の設定のみが可能となり、業務に不要な機能の設定が不可となるため、オペレータによる設定の手間を省くことが可能になり、業務効率が向上する。
【０１１２】
一方、初期画面Ｓ１において、第２モード選択ボタンを選択したときには、紙幣処理装置１００は第２モードとなり、紙幣処理装置１００が有する全ての機能に対し、設定を行う機能設定画面が、タッチパネル１７に表示される（図示省略）。オペレータは、この設定画面において、機能の一つ一つについて、有効・無効の設定、及び、有効時には、その機能の詳細を設定することになる。第２モードにおいても、必要な設定を行えば、紙幣処理装置１００を、前述した各業務に利用することが可能になる。
【０１１３】
第１モード及び第２モードのいずれにおいても、機能設定画面において、適用ボタンを選択すれば、紙幣処理装置１００は、動作が可能なスタンバイ状態に移行する。前述したように、ホッパ部２に紙幣を載置し、動作中にタッチパネル１７に表示される画面内の開始ボタンを選択すれば、設定された内容に従って、紙幣処理装置１００が動作をする。
【０１１４】
尚、前記の構成では、第１モードでは、機能設定画面Ｓ３、Ｓ４において、業務に必要な機能の設定をオペレータが行うように構成している。これとは異なり、各業務に対応するデフォルトの機能設定を予め設けておき、初期画面Ｓ１において、いずれかの業務を選択したときには、機能設定画面Ｓ２、Ｓ３を表示することなく、デフォルトの機能が自動的に設定され（つまり、業務に必要な機能は有効に、不要な機能は無効にされ）、紙幣処理装置１００がスタンバイ状態に移行するように構成してもよい。こうすることで、ユーザの設定の手間を大幅に省くことが可能になる。尚、デフォルトの機能設定を設ける構成においては、オペレータが、必要に応じて機能設定を変更可能に構成してもよい。
【０１１５】
〈出力用データファイルの説明〉
紙幣処理装置１００は、前述した業務に利用されるときに、識別部３が読み取った紙幣情報を含む出力用データファイルを作成すると共に、作成した出力用データファイルを、外部に出力する機能を有する。出力用データファイルの作成は、制御部１２０が行う。制御部１２０は、ファイル作成部を構成する。出力用データファイルには、紙幣の追跡等が可能になるように、現物紙幣に紐付けられる紐付けデータ（紐付け情報）が含まれる。例えば紙幣の記番号を検索キーとして、出力用データファイルから紙幣を特定したときに、紐付けデータに基づいて、当該紙幣に係る顧客や、紙幣が装填されたカセット、又は、紙幣が装填されたＡＴＭ等を追跡することが可能になる。
【０１１６】
図１０は、前述した各業務における現物紙幣の管理単位を示している。紙幣処理装置１００が作成する出力用データファイルは、現物紙幣の管理単位と対応する。以下、各業務の管理単位、及び、作成される出力用データファイルについて、並びに、出力用データファイルに含まれる紐付けデータについて説明をする。
【０１１７】
先ず、預入業務、及び、払出業務は共に、取引が現物紙幣の管理単位である。預入業務、及び、払出業務において作成する出力用データファイルの作成単位も、取引である。つまり、預入業務、及び、払出業務では、一つの取引において、紙幣処理装置１００が処理を行った現物紙幣をまとめて管理すると共に、その一つの取引において、紙幣処理装置１００が処理を行った紙幣全ての情報を、一つの出力用データファイルにまとめる。また、預入業務及び払出業務について、現物紙幣の紐付けの対象は当該取引に係る顧客であり、出力用データファイルに含める紐付けデータは、当該顧客を特定するＩＤ（ユーザＩＤ）である。
【０１１８】
正損分け業務では、現物紙幣の管理単位の規定がない。正損分け業務において作成する出力用データファイルの作成単位は、正損カテゴリである。つまり、正損分け業務において、例えば、紙幣の正損を２つのレベルに分類する場合には、当該業務において、紙幣処理装置１００が処理を行った紙幣のうち、正券の情報を、一つの出力用データファイルにまとめ、損券の情報を、別の一つの出力用データファイルにまとめる。同様に、紙幣の正損を３つのレベルに分類する場合には、ＡＴＭ正券の情報を、一つの出力用データファイルにまとめ、テラー正券の情報を、別の一つの出力用データファイルにまとめ、損券の情報を、さらに別の一つの出力用データファイルにまとめる。また正損分け業務においては、紐付けが不要であるため、出力用データファイルに紐付けデータは含まれない。
【０１１９】
大束正損分け業務では、現物紙幣のうち大束単位に分類された紙幣の管理単位は大束である。また、大束正損分け業務において、そのような紙幣について作成する出力用データファイルの作成単位は、大束である。従って、大束正損分け業務では、現物紙幣のうち大束単位に分類された紙幣は、正券、又は、損券によって作成した大束単位で管理を行うと共に、作成した大束毎に、当該大束に含まれる紙幣全ての情報を、一つの出力用データファイルにまとめる。大束正損分け業務においては、現物紙幣の紐付け対象が大束紙幣であり、紐付けデータは、当該大束に付与された大束ＩＤである。
【０１２０】
また、大束正損分け業務では、大束単位に分類されなかった紙幣（例えば、紙幣処理装置１００が識別を行った結果、正券として分類されたものの、大束単位にまとめることができなかった端数紙幣等）は、別途管理される。すなわち、現物紙幣のうち、大束単位に分類されなかった紙幣の管理単位は「大束以外」である。また、そのような紙幣について作成する出力用データファイルの作成単位は、正損分け業務と同様に、正損カテゴリである。
【０１２１】
従って、大束正損分け業務では、大束単位で現物紙幣が管理されると共に、大束単位に分類された紙幣の情報が、一つのファイルにまとめられることになる。一方で、紙幣処理装置１００が処理を行ったものの、大束単位に分類されなかった現物紙幣は、別途管理されると共に、大束単位に分類されなかった紙幣の出力用データファイルが、別途作成されることになる。尚、大束正損分け業務において、大束単位に分類できなかった紙幣については、紐付けが不要であるため、出力用データファイルに紐付けデータは含まれない。
【０１２２】
カセット回収業務では、現物紙幣の管理単位は、回収対象のカセットであり、出力用データファイルの作成単位は、当該カセットである。カセット回収業務においては、回収対象のカセット単位で、現物紙幣が管理されると共に、当該カセットから回収された紙幣の全ての情報が、一つの出力用データファイルにまとめられる。カセット回収業務では、紐付け対象は、回収対象のカセットであり、紐付けデータは、当該カセットを特定するカセット番号である。
【０１２３】
また、ＡＴＭ回収業務も、カセット回収業務に準じ、ＡＴＭ回収業務においては、回収対象のＡＴＭ単位で、現物紙幣が管理されると共に、当該ＡＴＭから回収された紙幣の全ての情報が、一つの出力用データファイルにまとめられる。ＡＴＭ回収業務において、紐付け対象は、回収対象のＡＴＭであり、紐付けデータは、当該ＡＴＭを特定するＡＴＭ番号である。
【０１２４】
カセット装填業務では、現物紙幣の管理単位は、装填対象のカセットである。出力用データファイルの作成単位は、カセットである。また、カセット装填業務では、様々な理由によってカセットに装填することができなかった紙幣（例えば、紙幣処理装置１００が識別を行った結果、ＡＴＭ正券でなかった等の紙幣。「装填カセット以外」）を、別途管理すると共に、当該装填できなかった紙幣（装填紙幣以外）に関する出力用データファイルを、別途、作成する（「装填紙幣以外まとめて」）。従って、カセット装填業務では、装填カセット単位で現物紙幣が管理されると共に、紙幣処理装置１００が処理を行ったものの、カセットに装填できなかった現物紙幣が、別途管理されかつ、カセットに装填された紙幣の情報が、一つのファイルにまとめられると共に、カセットに装填されなかった紙幣の出力用データファイルが、別途作成される。カセット装填業務では、紐付け対象は、装填対象のカセットであり、紐付けデータは、当該カセットを特定するカセット番号である。また、カセット装填業務において、カセットに装填されなかった紙幣については、紐付け不要であり、出力用データファイルに、紐付けデータは含まれない。
【０１２５】
ＡＴＭ装填業務も、カセット装填業務に準じ、ＡＴＭ装填業務では、ＡＴＭ単位で現物紙幣が管理されると共に、紙幣処理装置１００が処理を行ったものの、ＡＴＭに装填できなかった現物紙幣が、別途管理される。ＡＴＭに装填された紙幣の情報が、一つの出力用データファイルにまとめられると共に、ＡＴＭに装填されなかった紙幣の出力用データファイルが、別途作成される。ＡＴＭ装填業務では、紐付け対象は、装填対象のＡＴＭであり、紐付けデータは、当該ＡＴＭを特定するＡＴＭ番号である。ＡＴＭ装填業務において、ＡＴＭに装填されなかった紙幣については、紐付け不要であり、出力用データファイルに紐付けデータは、含まれない。
【０１２６】
記番号記録業務では、現物紙幣の記録単位の規定がない。記番号記録業務では、設定した枚数単位で、一つの紙幣出力用データファイルが作成される。また、記番号記録業務では、紐付け不要であり、出力用データファイルに紐付けデータは、含まれない。
【０１２７】
紙幣処理装置１００が第１モードで動作するときには、選択した業務に対応するように、出力用データファイルの作成単位、及び、その出力用データファイルに含める紐付けデータが、自動的に設定される（図４参照）。一方、紙幣処理装置１００が第２モードで動作するときには、オペレータが、出力用データファイルの作成単位、及び、その出力用データファイルに含める紐付けデータを、それぞれ手動で設定する。
【０１２８】
図１１は、出力用データファイルの構成を概念的に示している。出力用データファイルは、少なくとも紙幣一枚分の紙幣に関する情報（つまり、紙幣データ）を含む。尚、図１１に示す例では、出力用データファイルは、紙幣Ｘ枚分の紙幣データと、紐付けデータとを含んでいる。
【０１２９】
紙幣データは、ここでは、図１１に示すように、処理日時と、処理ＩＤと、ＲＪフラグと、ＲＪ要因と、通貨コードと、金種と、発行年数と、新旧情報と、正損情報と、搬送先と、結束ＩＤと、記番号と、イメージデータＩＤとから構成されている。尚、紙幣データは、図１１に示す例に限定されない。紙幣データに含める項目を、図１１の例よりも少なくしたり、図１１の例に存在しない項目を紙幣データに含めたりしてもよい。
【０１３０】
具体的に、処理日時は、紙幣処理装置１００が紙幣を計数処理した日時を示す情報である。処理ＩＤは、紙幣処理装置１００が処理を実行する毎に、当該処理に対して付与されるＩＤである。ＲＪフラグは、紙幣がリジェクト紙幣であるか否かを示すフラグである。ＲＪ要因は、リジェクト紙幣であると判定された紙幣が、指定外紙幣、異常紙幣、搬送異常紙幣、及び偽券のうちのいずれに該当するのかを示す情報である。発行年数は、紙幣の発行年であり、例えば西暦の下２桁の年数によって表すことが可能である。新旧情報は、前述したように、紙幣の版を示す情報である。正損情報は、紙幣の正損を特定する情報であり、詳しくは、紙幣の正損を３つのレベルで分類する場合であれば、識別された紙幣が、前述のＡＴＭ正券、テラー正券、及び損券のいずれに該当するかを示す情報である。搬送先は、紙幣処理装置１００において、紙幣が搬送されたスタッカを示す情報であり、第１結束スタッカ４Ａ、第２結束スタッカ４Ｂ、第１非結束スタッカ５Ａ、及び、第２非結束スタッカ５Ｂのいずれに搬送されたのかを示す情報である。結束ＩＤは、紙幣処理装置１００が紙幣の結束を行ったときに、当該結束紙幣に付与されるＩＤである。イメージデータＩＤは、紙幣の識別に使用したイメージデータを特定するために付与されるＩＤである。イメージデータそのものは、当該出力用データファイルに含まれない。こうすることで、出力用データファイルのデータ量を削減することが可能になる。尚、イメージデータは、別途、紙幣処理装置１００の記憶部１３１、又は、上位端末１４０において、イメージデータＩＤと対応付けて記憶及び管理される。
【０１３１】
図１１の例に追加可能な項目としては、例えば、紙幣処理装置１００が第１モードで動作したのか、又は、第２モードで動作したのかを特定するための情報や、紙幣処理装置１００を操作したオペレータを特定するためのオペレータＩＤや、紙幣処理装置１００を特定するための処理機ＩＤや、カセット番号（カセット回収業務、又はカセット装填業務に限る）や、ＡＴＭ番号（ＡＴＭ回収、又はＡＴＭ装填業務に限る）や、偽券判定の詳細（透かし異常、磁気異常、及び記番号異常など）や、各バッチ又は取引における金種別枚数又は総額などが挙げられる。
【０１３２】
出力用データファイルは、予め設定された所定のフォーマットで作成される。出力用データファイルのフォーマットは、変更可能に構成されている。変更可能なフォーマットには、紙幣処理装置１００の標準フォーマット、及び、上位端末１４０におけるデータ管理に適したフォーマット等が含まれる。このように構成することで、出力用データファイルのフォーマットを、情報の出力先において要求されるフォーマットに適合させることができる。フォーマットの設定・変更は、図示は省略するが、タッチパネル１７に表示されるフォーマット設定画面において行うことが可能である。尚、出力用データファイルのフォーマットは、業務毎に設定されていたり、スタッカ４、５毎に設定されていたりしてもよい。
【０１３３】
〈紙幣処理装置の動作中の機能〉
紙幣処理装置１００は、選択した業務に応じて、紙幣処理装置１００の動作中に、タッチパネル１７に表示される画面の構成が異なる。つまり、紙幣処理装置１００の動作中には、実行中の業務に適したインターフェースが、オペレータに提供される。
【０１３４】
図１２は、預入業務において、紙幣処理装置１００の動作中に、タッチパネル１７に表示される画面Ｓ５を例示している。この画面Ｓ５では、第１及び第２結束スタッカ４Ａ、４Ｂ、並びに、第１及び第２非結束スタッカ５Ａ、５Ｂに集積する紙幣の種類が明示されると共に、各スタッカ４、５に集積されている紙幣の枚数が表示されている。図例では、紙幣の種類として正損レベルが明示されている。具体的には、結束スタッカ４に集積される紙幣が正券であり、第１結束スタッカ４Ａに３５枚の正券が集積されていることが示されている。また、非結束スタッカ５に集積される紙幣が損券であり、第１非結束スタッカ５Ａに２０枚の損券が集積されていることが示されている。この画面Ｓ５にはまた、これまでに処理を行った正券の総枚数、及び、損券の総枚数が表示されると共に、正券及び損券のそれぞれについて、バッチに達した回数が表示されている。さらに、処理を行った紙幣の総額が表示されている。
【０１３５】
処理の完了後に、オペレータが承認（ＡＣＣＥＰＴ）ボタンを選択することにより、一つの処理、つまり一取引を完了することができる。次の処理を行う際には、ホッパ部２に紙幣を載置して、開始（ＳＴＡＲＴ）ボタンを選択する。これにより、前の処理の計数結果が消去され、次の処理が開始する。処理の途中で取引をキャンセルする場合は、消去（ＣＬＥＡＲ）ボタンを選択することにより、前の処理の計数結果が消去され、次の処理を開始することができる。
【０１３６】
この画面Ｓ５の構成は、図示は省略するが、払出業務、正損分け業務、及び記番号記録業務においても同様である。
【０１３７】
図１３は、カセット回収業務、又は、ＡＴＭ回収業務において、紙幣処理装置１００の動作中に、タッチパネル１７に表示される画面Ｓ６を例示している。この画面Ｓ６においても、第１及び第２結束スタッカ４Ａ、４Ｂ、並びに、第１及び第２非結束スタッカ５Ａ、５Ｂに集積する紙幣の正損レベルが明示され、各スタッカ４、５に集積されている紙幣の枚数が表示されている。また、これまでに処理を行った正券の総枚数、及び、損券の総枚数が表示されると共に、正券及び損券のバッチに至った回数がそれぞれ表示される。さらに、処理を行った紙幣の総額が表示されている。また、承認（ＡＣＣＥＰＴ）ボタンと、消去（ＣＬＥＡＲ）ボタンと、スタート（ＳＴＡＲＴ）ボタンとが設けられている。これらは、図１２に示す画面Ｓ５と同じである。
【０１３８】
カセット回収業務における画面Ｓ６では、現在の回収対象のカセットの番号が表示される（ＣＳＴ Ｎｏ．）と共に、このカセットの回収が完了した後、次に回収を行うカセットの番号を入力するためのカセット切り替えボタン（Ｎｅｘｔ ＣＳＴ）が設けられている。
【０１３９】
図１４は、カセット切り替えボタンが選択されたときに、タッチパネル１７に表示されるカセット番号入力画面Ｓ７を例示している。この画面Ｓ７の右側には、カセット番号を手入力するためのボタンが設けられ、左側には、入力したカセット番号を表示する欄が設けられている。オペレータは、ボタン操作によって、英字及び／又は数字を含むカセット番号を指定すると共に、入力（ＥＮＴＥＲ）ボタンを選択することにより、次に回収を行うカセット番号が入力され、図１３に示す画面Ｓ６において、入力したカセット番号が表示されるようになる。尚、カセット回収業務の開始時にも、カセット番号入力画面Ｓ７がタッチパネル１７に表示される。
【０１４０】
尚、ここでは、回収対象のカセットを切り替える度に、オペレータがカセット番号を手入力するようにしているが、例えばカセット回収業務の開始時に、回収対象のカセットの番号を、予め全て入力しておき、カセットを切り替える時には、入力されているカセットの番号から、次に回収対象となるカセット番号を選択するように構成してもよい。また、カセット番号を手入力するのではなく、カセットに付されたコードや、伝票に記載されたコードをコードリーダー１４４で読み取り、読み取ったコードより取得したカセット番号を入力するようにしてもよい。
【０１４１】
尚、ＡＴＭ回収業務においては、画面Ｓ６において、カセット番号に代えて、ＡＴＭ番号が表示され、カセット切り替えボタンの代わりに、ＡＴＭ切り替えボタンが設けられる。ＡＴＭ回収業務においては、カセット切り替えボタンと、ＡＴＭ切り替えボタンとの両方を設けてもよい。
【０１４２】
尚、カセット回収業務において、カセットは複数にまたがるが、一つの取引とする運用としてもよい。この運用では、処理の途中でカセットの切り替えが行われるが、カセットの切り替えを行っても、画面Ｓ６における総額は消去されないように構成される。また、この運用のカセット回収業務において紙幣の結束を行う場合、異なるカセットにまたがって、紙幣を集積し、一つの結束紙幣とすることが可能になる。つまり、一つのカセットの回収が完了したときに端数となっていても、次のカセットから回収した紙幣と合わせて、一つの結束紙幣を作成することが可能である。尚、このような運用では、出力用データファイルの作成単位は、各カセットとしてもよいし、一取引としてもよい。
【０１４３】
図１５は、カセット装填業務、及び、ＡＴＭ装填業務において、紙幣処理装置１００の動作中に、タッチパネル１７に表示される画面Ｓ８を示している。この画面Ｓ８においても、第１及び第２結束スタッカ４Ａ、４Ｂ、並びに、第１及び第２非結束スタッカ５Ａ、５Ｂに集積する紙幣の正損レベルが明示され、各スタッカに集積されている紙幣の枚数が表示されている。
【０１４４】
また、画面の右側には、これまでに処理を行った正券の総枚数（図例では、ＡＴＭ正券及びテラー正券に分けている）、及び、損券の総枚数が表示されると共に、正券及び損券のバッチに至った回数がそれぞれ表示される。また、現時点で集積中の紙幣の枚数、及び、これまでに装填完了したカセットの個数が表示される。さらに、設定されているカセットの装填枚数（バッチ枚数）が表示されている（図例では２０００枚）と共に、処理を行った紙幣の総額が表示されている。また、承認（ＡＣＣＥＰＴ）ボタンと、消去（ＣＬＥＡＲ）ボタンと、スタート（ＳＴＡＲＴ）ボタンとが設けられている。画面Ｓ８には、現在の装填対象のカセットの番号が表示される。カセット装填業務においては、カセット装填枚数に対応するバッチ枚数に到達したときに、次の装填対象のカセットの番号を入力する画面Ｓ７（図１４参照）が、タッチパネル１７に自動的に表示される。オペレータがカセット番号入力画面Ｓ７において、次の装填対象のカセット番号を入力すれば、カセット装填業務が再開される。尚、画面Ｓ８においても、図１３に示す画面Ｓ６と同様に、次の装填対象のカセットに切り替えるための、カセット切り替えボタンを設けてもよい。
【０１４５】
尚、ＡＴＭ装填業務においては、画面Ｓ８において、カセット番号に代えて、ＡＴＭ番号が表示される。また、ＡＴＭの装填枚数の対応するバッチ枚数に到達したときに、次の装填対象のＡＴＭの番号を入力する画面（図示省略）が、タッチパネル１７に自動的に表示される。ＡＴＭ装填業務の画面においても、次の装填対象のＡＴＭに切り替えるための、ＡＴＭ切り替えボタンを設けてもよい。
【０１４６】
図１６は、大束正損分け業務において、紙幣処理装置１００の動作中に、タッチパネル１７に表示される画面Ｓ９を例示している。この画面Ｓ９においても、第１及び第２結束スタッカ４Ａ、４Ｂ、並びに、第１及び第２非結束スタッカ５Ａ、５Ｂに集積する紙幣の正損レベルが明示され、各スタッカに集積されている紙幣の枚数が表示されている。
【０１４７】
また、この画面Ｓ９では、これまでに処理を行った正券の総枚数、及び、損券の総枚数が表示されると共に、正券及び損券のバッチに至った回数がそれぞれ表示される。さらに、現時点で集積中の紙幣の枚数、これまでに作成をした大束の数、及び、設定されている大束の枚数（図例では１０００枚）が、表示されている。また、処理を行った紙幣の総額も表示されている。これらは、図１５に示す画面Ｓ８と、ほぼ同じである。この画面Ｓ９にはまた、承認（ＡＣＣＥＰＴ）ボタンと、消去（ＣＬＥＡＲ）ボタンと、スタート（ＳＴＡＲＴ）ボタンとが設けられている他、大束正損分け処理においてのみ有効な、ラベル印刷を行うためのボタン（ＲＥ−ＰＲＩＮＴボタン）が設けられている。
【０１４８】
以上のように、この紙幣処理装置１００では、業務の選択に応じて、当該業務に対応するインターフェースが、オペレータに提供される。具体的に、カセット回収業務及びＡＴＭ回収業務においては、制御部１２０は、カセット及びＡＴＭ番号、並びに、カセット及びＡＴＭ切り替えボタンを、タッチパネル１７に表示しかつ、番号入力画面Ｓ７を、タッチパネル１７に表示する（図１３、図１４参照）。また、カセット装填及びＡＴＭ装填業務においては、制御部１２０は、カセット及びＡＴＭ番号を、タッチパネル１７に表示しかつ、番号入力画面Ｓ７を、タッチパネル１７に表示する（図１４、図１５参照）。図４に「ＵＩの提供」として示すように、業務の選択に応じて、当該業務に対応するインターフェースを自動的に切り替えてオペレータに提供することにより、紙幣処理装置１００の使い勝手が向上する。
【０１４９】
〈取り出すべき紙幣を視覚的に誘導する制御〉
カセット装填業務や、ＡＴＭ装填業務、又は、大束正損分け業務においては、前述したように、オペレータは、一つのバッチが達成するまでの間に、結束スタッカ４、又は、非結束スタッカ５から、紙幣の取り出しを複数回繰り返すことになる。そのため、紙幣処理装置１００の複数のスタッカ４，５のそれぞれでバッチが完了したような場合において、どのスタッカから紙幣の取り出しを行うべきか、わかりにくくなる場合がある。
【０１５０】
現物紙幣の管理単位と、出力用データファイルの作成単位とを対応づけているときに、誤ったスタッカから紙幣を取り出してしまうと、現物紙幣と紙幣データとが対応しなくなる虞がある。例えばカセット装填業務や、ＡＴＭ装填業務、又は、大束正損分け業務において、１つのスタッカでバッチが達成した直後に、別のスタッカでもバッチが完了したときに、当該別のスタッカから先に紙幣を取り出してしまうと、現物紙幣の順番と、紙幣データの順番とが対応しなくなる。また、最後のバッチが達成した（特定バッチ処理が完了した）直後に、別のスタッカにおいてバッチが完了したときに、当該別のスタッカから紙幣を取り出してしまうと、現物紙幣を、誤ったカセットやＡＴＭに装填したり、誤った大束に含めたりすることになる。
【０１５１】
そこで、この紙幣処理装置１００では、カセット装填業務や、ＡＴＭ装填業務、又は、大束正損分け業務の遂行中に、いずれかのスタッカ４、５においてバッチ枚数に達した時には、紙幣を取り出すべきスタッカを、オペレータに視覚的に示すよう構成されている。この紙幣処理装置１００では、複数の手段により、紙幣を取り出すべきスタッカに、オペレータを視覚的に誘導している。
【０１５２】
図１７は、カセット装填業務においてタッチパネル１７に表示される画面Ｓ８を示している。画面の構成は、図１５に示す画面Ｓ８と同じである。図１７の例では、第１非結束スタッカ５Ａと、第２非結束スタッカ５Ｂとの双方において、バッチ枚数（１００枚）が達成している。制御部１２０は、バッチ枚数に到達した２つのスタッカ５Ａ、５Ｂの内、先に紙幣を取り出すべきスタッカの枚数表示を点滅させる。図１７の例では、
第１非結束スタッカ５Ａの表示が点滅している。こうすることで、オペレータに対し、先に紙幣を取り出すべきスタッカを、視覚的に示す。
【０１５３】
画面Ｓ８においては、紙幣処理装置１００におけるスタッカ４、５の実際のレイアウトに対応して、第１結束スタッカ４Ａ、第２結束スタッカ４Ｂ，第１非結束スタッカ５Ａ、及び、第２非結束スタッカ５Ｂの情報が表示されると共に、紙幣を取り出すべきスタッカを点滅によって明示するから、オペレータは、スタッカを間違うことなく、正しいスタッカから紙幣を取り出すことが可能になる。尚、点滅表示に変えて、スタッカの枚数表示の色を、他のスタッカとは異ならせることによって、紙幣を取り出すべきスタッカを視覚的に示すようにしてもよい。
【０１５４】
また、画面Ｓ８では、各スタッカ５Ａ、５Ｂについて、集積している紙幣の正損レベルと、正損レベル以外の複数の種類の情報を表示している。図例において、「Ｎｅｗ」は、当該紙幣が新版であること、「Ｏｌｄ」は、当該紙幣が旧版であることを意味する。これにより、オペレータは、取り出すべき紙幣の版がわかるため、当該版に対応する紙幣を、スタッカから取り出すべきであることがわかる。さらに、画面Ｓ８の例では、紙幣の金種の情報も表示している（図例では、「２０元」と「１０元」）。オペレータは、これにより、取り出すべき紙幣の金種がわかる。
【０１５５】
タッチパネル１７に表示することに加えて、この紙幣処理装置１００では、非結束スタッカ５の近傍に取り付けられている液晶パネル１８に、第１非結束スタッカ５Ａ、及び、第２非結束スタッカ５Ｂに集積している紙幣の金種及びバージョンを表示する。こうすることで、オペレータは、タッチパネル１７の表示内容と、液晶パネル１８の表示内容とに基づいて、紙幣を取り出すべきスタッカを正確に認識することが可能になる。
【０１５６】
さらに、この紙幣処理装置１００では、紙幣を取り出すべきスタッカ４、５において、照明装置４６、５５を点滅又は点灯させるように構成されている。こうすることで、取り出すべき紙幣が照らされるため、オペレータは、紙幣を取り出すべきスタッカをさらに明確に認識することが可能になる。
【０１５７】
加えて、この紙幣処理装置１００では、紙幣を取り出すべきスタッカが、結束スタッカ４であるときには、ロック機構４４をアンロック状態にすることで、扉４３を開ける（図１参照）。こうすることで、紙幣を取り出すべき結束スタッカ４が、さらに明確になると共に、紙幣の取り出しが可能になる。また、紙幣を取り出すべきスタッカが、非結束スタッカ５であるときには、押出機構５４によって、集積している紙幣を押し出す（図１参照）。こうすることで、紙幣を取り出すべき非結束スタッカ５が、さらに明確になる。
【０１５８】
この紙幣処理装置１００においては、タッチパネル１７、液晶パネル１８、結束スタッカ４の扉４３、ロック機構４４及び照明装置４６、非結束スタッカ５の押出機構５４及び照明装置５５が、視覚誘導部を構成する。
【０１５９】
紙幣処理装置１００は、これらオペレータを視覚的に誘導する複数の手段の内の、少なくとも一つを有している、としてもよい。
【０１６０】
紙幣がスタッカ４、５から取り出されたことは、集積センサ４５、５２によって検知される。正しいスタッカから紙幣が取り出されたときには、次に紙幣を取り出すべきスタッカを、オペレータに視覚的に示すか、紙幣処理装置１００の動作を再開するか、紙幣処理装置１００をスタンバイ状態にする。
【０１６１】
一方、誤ったスタッカから紙幣が取り出されたことも、集積センサ４５、５２によって検知が可能である。誤ったスタッカから紙幣が取り出されたときには、制御部１２０は、タッチパネル１７にその旨を表示してもよい（つまり、表示による警告）。また、ブザー１４５により、音でオペレータに警告を行ってもよい。タッチパネル１７及びブザー１４５はそれぞれ、警告部を構成する。さらに、紙幣処理装置１００の動作の再開を禁止してもよい。誤ったスタッカから取り出された紙幣が元に戻され、正しいスタッカから紙幣が取り出されれば、前述のように、次に紙幣を取り出すべきスタッカを、オペレータに視覚的に示すか、紙幣処理装置１００の動作を再開するか、紙幣処理装置１００をスタンバイ状態にする。
【０１６２】
尚、紙幣を取り出すべきスタッカを明示する制御は、正損バッチ処理時に限らず、通常のバッチ処理において行ってもよいし、また、バッチ処理に限らず、スタッカから紙幣の取り出し忘れを防止するために、様々な処理における一取引の終了後に行ってもよい。
【０１６３】
〈バッチ処理の完了時を明示する制御〉
前述したように、大束正損分け業務、カセット装填業務、又は、ＡＴＭ装填業務においては、複数回の通常バッチ処理が繰り返されるため、オペレータは、いつ特定バッチ処理が完了したかがわかりにくい。具体的には、いつ大束のバッチ枚数に達したか、カセット装填のバッチ枚数に達したか、又は、ＡＴＭ装填のバッチ枚数に達したかがわかりにくい。そこで、図１８に示すように、大束正損分け業務、カセット装填業務、又は、ＡＴＭ装填業務において、特定バッチ処理のバッチ枚数（以下、「特定バッチ枚数」と称する場合がある）に達したときに、その旨をタッチパネル１７に表示してもよい。図例は、カセット装填業務において表示される画面Ｓ８を示しており、設定したカセット装填の特定バッチ枚数に達したことと、通常バッチが最後に達成されたスタッカを表示している（「Cassette batch complete for stacker 2」）。特定バッチ枚数に到達したことの表示（以下、「特定バッチ枚数達成表示」と称する場合がある）は、必要に応じて強調表示（例えば点滅等）としてもよい。
【０１６４】
ここで、前述したように、大束正損分け業務、カセット装填業務、又は、ＡＴＭ装填業務において繰出停止機能が有効である場合には、特定バッチ処理が完了したことを条件に、紙幣処理装置１００の繰出動作が停止する。さらに、最後の通常バッチが達成されたスタッカから紙幣を取り出した後、オペレータが再開操作を行うまで、紙幣処理装置１００の繰出動作を停止してもよい。この場合は、オペレータが再開操作を行うまで、前記の特定バッチ枚数達成表示を継続させればよい。
【０１６５】
一方、繰出停止機能が無効である場合には、特定バッチ処理が完了しても紙幣処理装置１００の繰出動作は停止しない。そのため、スタッカから紙幣を取り出した直後に、そのスタッカに新たな紙幣が集積される場合があり、バッチ枚数達成表示もすぐに消え、新たに集積された紙幣の情報を表示してしまうことになり、オペレータが、特定バッチ枚数達成表示を見落としてしまう虞がある。そこで、紙幣をスタッカから取り出した後、所定時間だけ、特定バッチ枚数達成表示を継続するように構成してもよい。こうすることで、オペレータの見落としを防止することができ、大束正損分け業務、カセット装填業務、又は、ＡＴＭ装填業務の各業務を、正確に遂行することができるようになる。
【０１６６】
〈出力用データファイルの出力タイミング〉
紙幣処理装置１００において処理を行うと、バックグラウンドで、選択した業務に対応する作成単位で、出力用データファイルが作成される（図４参照）。紙幣処理装置１００の制御部１２０は、作成した出力用データファイルを、通信部１３２を通じて上位端末１４０に出力する。尚、上位端末１４０に出力することに代えて、又は、上位端末１４０に出力することに加えて、制御部１２０は、入出力部１３３を通じて、メモリカード１４２や記憶ドライブ１４３に出力するとしてもよいし、プリンタ１４１において、紙幣データ等を印刷するとしてもよい。さらに、図示を省略する外部のディスプレイに、紙幣データ等を表示するとしてもよい。制御部１２０は、出力用データファイルを、紙幣処理装置１００の外部に出力する出力部を構成する。
【０１６７】
ここで、出力用データファイルの作成単位は、業務に対応して異なるため、その作成タイミングも、業務に対応して異なる。紙幣処理装置１００において、出力用データファイルの出力タイミングを一定にしたのでは、出力用データファイルを適切なタイミングで出力することができなくなる虞がある。業務に応じて出力用データファイルの作成単位を変えることに対応して、出力用データファイルの出力タイミングも変えることが必要である。
【０１６８】
そこで、紙幣処理装置１００は、複数の出力条件を予め設定しておき、複数の出力条件から選択した出力条件に基づいて、出力用データファイルの出力タイミングを制御する。詳しくは、制御部１２０は、適宜選択した出力条件の成立後に、出力用データファイルを出力するよう、制御部１２０が出力するタイミングを制御するよう構成されている。具体的に、第１モードでは、出力用データファイルの出力を行うための条件が、業務に対応して設定されている。業務を選択することによって、出力条件も自動的に選択される。第２モードでは、オペレータが、複数の条件から一つの出力条件を選択する。
【０１６９】
先ず、図４を参照しながら、第１モードにおいて、各業務に対応して設定されている出力用データファイルの出力条件について、説明する。前述したように、制御部１２０は、この対応関係に従って、紙幣処理装置１００を動作させるため、制御部１２０は、複数の条件の中から、一つの条件を選択する条件選択部を構成する。
【０１７０】
預入業務及び払出業務の出力条件は、一取引が完了したことである。一取引は、図１２に示す画面Ｓ５において、承認ボタンが選択されることで完了する。この出力条件は、オペレータが出力用データファイルの出力を指示する操作を行ったこと、と言い換えることも可能である。承認ボタンの選択以降に、紙幣処理装置１００の制御部１２０は、取引毎に作成した出力用データファイルを出力する。ここで「承認ボタンの選択以降」は、承認ボタンを選択したとき、及び、その後を含む。以下の説明においても同様である。従って、承認ボタンの選択したタイミングで、制御部１２０は出力用データファイルを出力してもよいし、承認ボタンの選択後、所定の遅れ時間経過後に、制御部１２０は出力用データファイルを出力してもよい。尚、取引の完了は、画面Ｓ５において、承認ボタンが選択されることで完了するものに限られない。例えば、取引は、上位端末１４０からの指示により完了するものとしてもよい。また、上位端末１４０や図１２に示す画面Ｓ５で顧客を特定するＩＤを入力できるようにすれば、取引は、次の預入業務または払出業務を行うために別の顧客を特定するＩＤが入力されることで完了するものとしてもよい。
【０１７１】
正損分け業務の出力条件は、紙幣処理装置１００の正損分け処理が最後に行われてから所定時間（例えば１０分）が経過したこと、及び、正損分け処理をした紙幣の枚数が所定枚数（例えば２０００枚）に達したことの、いずれか一方が成立したことである。条件成立以降の所定のタイミングで、制御部１２０は、それまでに処理を行った、正損レベルごとの出力用データファイルをそれぞれ出力する。尚、正損分け業務の出力条件は、オペレータが、前記２つの条件の内のいずれか一方の条件を選択してもよい。この場合、制御部１２０は、その選択した条件が成立した以降のタイミングで、出力用データファイルを出力する。
【０１７２】
大束正損分け業務では、処理した現物紙幣を大束単位で管理できる場合の出力条件は、一つの大束作成のための特定バッチ処理が完了したことである。具体的には、一つの大束作成のための特定バッチ処理が完了した以降の所定のタイミング（完了した時点、または完了した時点から所定の時間が経過した時点）で、制御部１２０は、大束単位で作成した出力用データファイルを出力する。大束正損分け業務において、繰出停止機能が有効であるときには、制御部１２０は、特定バッチ処理の最後の通常バッチ処理が完了した以降のタイミングで、出力用データファイルを出力するようにしてもよい。また、オペレータが、最後の通常バッチ処理が完了したスタッカ４，５から紙幣を取り出した以降のタイミングで、制御部１２０は、出力用データファイルを出力するようにしてもよい。さらに、オペレータが、次の特定バッチ処理の再開を指示したとき以降のタイミングで、制御部１２０は、出力用データファイルを出力するようにしてもよい。また、繰出停止機能が無効であるときには、制御部１２０は、特定バッチ処理の最後の通常バッチ処理が完了した以降の適宜のタイミングで、出力用データファイルを出力すればよい。
【０１７３】
ここで、例えば、特定バッチ枚数が１０００枚に設定された大束正損分け業務において、５１００枚の紙幣が、紙幣処理装置１００に取り込まれた場合を考える。この場合、制御部１２０は、１０００枚×５束＝５０００枚分の紙幣データを、５つの出力用データファイルとして、順次、出力する。一方、５１００枚−５０００枚＝１００枚分の端数紙幣は、現物紙幣の管理単位が「大束以外」の紙幣として管理される。大束正損分け業務が完了し、タッチパネル１７に表示されている承認ボタンを、オペレータが選択したことを条件にして、制御部１２０は、端数紙幣に係る出力用データファイルを、出力するようにしてもよい。あるいは、出力用データファイルへの最後のデータ書き込みから所定時間（例えば１０分）が経過したことを条件として、制御部１２０は、端数紙幣に係る出力用データファイルを、出力するようにしてもよい。
【０１７４】
カセット回収業務の出力条件は、一つのカセットについて回収業務が完了したことである。前述したように、図１３に示す画面Ｓ６において、一つのカセットについて回収業務が完了すれば、カセット切り替えボタンが選択される。制御部１２０は、カセット切り替えボタンが選択された以降の所定のタイミングで、当該回収対象のカセット単位で作成した出力用データファイルを出力する。また、一つのカセットについて回収業務が完了し、オペレータがタッチパネル１７に表示されている承認ボタンを選択した場合にも、制御部１２０は、当該回収対象のカセット単位で作成した出力用データファイルを出力する。
【０１７５】
ＡＴＭ回収業務の出力条件も、カセット回収業務と同じであり、一つのＡＴＭについて回収業務が完了したことである。従って、画面Ｓ６において、ＡＴＭ切り替えボタンが選択された以降の所定のタイミングで、制御部１２０は、当該回収対象のＡＴＭ単位で作成した出力用データファイルを出力する。また、一つのＡＴＭについて回収業務が完了し、オペレータがタッチパネル１７に表示されている承認ボタンを選択した場合にも、制御部１２０は、当該回収対象のＡＴＭ単位で作成した出力用データファイルを出力する。
【０１７６】
カセット装填業務においては、前述したように、装填カセットを作成単位とする出力用データファイルと、装填紙幣以外の出力用データファイルとの２種類の出力用データファイルを作成する。装填カセット単位の出力用データファイルは、一つのカセットに装填するための特定バッチ処理が完了したことが出力条件である。特定バッチ処理の完了以降の所定のタイミングで、制御部１２０は、当該カセット単位の出力用データファイルを出力する。カセット装填業務において、繰出停止機能が有効であるときには、前述したように、制御部１２０は、特定バッチ枚数に到達した以降のタイミングで、又は、オペレータが、特定バッチ処理の最後の通常バッチ処理が完了したスタッカ４、５から紙幣を取り出した以降のタイミングで、又は、オペレータが次の特定バッチ処理の再開を指示したとき以降のタイミングで、装填カセット単位の出力用データファイルを出力するようにしてもよい。また、繰出停止機能が無効であるときには、制御部１２０は、特定バッチ枚数に到達した以降の適宜のタイミングで、装填カセットに係る出力用データファイルを出力すればよい。
【０１７７】
一方、装填紙幣以外の出力用データファイルの出力条件は、紙幣処理装置１００の計数処理が最後に行われてから所定時間（例えば１０分）が経過すること、及び、計数処理を行った紙幣の枚数が所定枚数（例えば２０００枚）に達すること、の少なくとも一方が成立することである。いずれか一方の条件が成立した以降に、制御部１２０は、出力用データファイルを出力する。尚、オペレータが、前記の２つの条件のいずれか一方を選択してもよい。また、オペレータがタッチパネル１７に表示されている承認ボタンを選択した場合にも、制御部１２０は、それまでに作成した出力用データファイルを出力する。
【０１７８】
ＡＴＭ装填業務の出力条件も、カセット装填業務と同じである。装填ＡＴＭ単位の出力用データファイルの出力条件は、一つのＡＴＭについて装填業務が完了したことである。また、装填紙幣以外のデータファイルの出力条件は、紙幣処理装置１００の計数処理が最後に行われてから所定時間（例えば１０分）が経過すること、及び、計数処理を行った紙幣の枚数が所定枚数（例えば２０００枚）に達すること、の少なくとも一方が成立したことである。また、オペレータがタッチパネル１７に表示されている承認ボタンを選択した場合にも、制御部１２０は、それまでに作成した出力用データファイルを出力する。
【０１７９】
記番号記録業務の出力条件は、紙幣処理装置１００の処理が最後に行われてから所定時間（例えば１０分）が経過したこと、及び、紙幣を計数処理した枚数が所定枚数（例えば２０００枚）に達したこと、の少なくとも一方が成立したことである。また、オペレータがタッチパネル１７に表示されている承認ボタンを選択した場合にも、制御部１２０は、それまでに作成した出力用データファイルを出力する。
【０１８０】
第１モードでは、前述の通り、業務を選択することに伴い、選択した業務に対応する出力条件が、自動的に設定される。これに対し、第２モードにおいては、出力用データファイルを出力する条件を、オペレータが選択可能に構成されている。
【０１８１】
この紙幣処理装置１００では、第２モードにおいて選択可能な出力条件として、以下の条件が設定されている。すなわち、（１）取引が完了したこと、（２）バッチが達成したこと、（３）スタッカ４、５から紙幣が取り出されたこと、（４）識別部３が紙幣に関する情報を取得したこと、（５）オペレータが、出力用データファイルの出力を指示したこと、（６）紙幣の処理が最後に行われてから所定時間が経過したこと、（７）処理を行った紙幣の枚数が所定枚数に達したこと、の各条件を含む。
【０１８２】
この内、（１）取引が完了したことを条件に、制御部１２０が出力用データファイルを出力する場合、出力用データファイルは、当該取引に係る紙幣全てのデータを含む。
【０１８３】
（２）バッチが達成したことを条件に、制御部１２０が出力用データファイルを出力する場合、出力用データファイルは、当該バッチに含まれる紙幣全てのデータを含む。この場合において、制御部１２０は、当該バッチを特定するためのバッチＩＤを付与し、出力用データファイルにバッチＩＤを含めるようにしてもよい。尚、このバッチ処理には、前述の大束正損分け業務と同様に、バッチ枚数がスタッカ４、５の集積容量を超える枚数に設定されたバッチ処理（特定バッチ処理）も含まれる。
【０１８４】
尚、バッチ未達の端数紙幣に関する出力用データファイルは、その出力を保留してもよいし、オペレータの別途の指示を含む所定の条件の成立に基づいて、出力用データファイルを出力してもよい。
【０１８５】
（３）スタッカ４、５から紙幣が取り出したことを条件に、制御部１２０が出力用データファイルを出力する場合、出力用データファイルは、当該取り出した紙幣全てのデータを含む。この場合において、制御部１２０は、当該取り出しを特定するための取り出しＩＤを付与し、出力用データファイルに取り出しＩＤを含めるようにしてもよい。
【０１８６】
尚、紙幣の取り出しを条件にした場合は、前述したバッチ達成を条件にする場合とは異なり、バッチ未達の端数紙幣に関する出力用データファイルは、スタッカから紙幣を取り出した以降に、随時、出力される。
【０１８７】
（４）識別部３が紙幣に関する情報を取得したことを条件に、制御部１２０が出力用データファイルを出力する場合、出力用データファイルには、当該紙幣一枚の情報が含まれる。この場合、出力用データファイルの出力は、識別部３による識別と同期して、随時、行われる。
【０１８８】
（５）オペレータが、出力用データファイルの出力を指示したことには、図１２に示す画面Ｓ５等において、承認ボタンを選択することや、図１３に示す画面Ｓ６において、カセット又はＡＴＭ切り替えボタンを選択することも含まれる。オペレータの指示を条件に、制御部１２０が出力用データファイルを出力する場合、出力用データファイルは、未出力の紙幣データを含む。尚、別途の「出力ボタン」を設け、出力ボタンが操作されたことを条件に、例えばバッチ未達の端数紙幣のデータ等を出力するようにしてもよい。出力ボタンは、ハードウエアによって構成されるボタンであってもよいし、タッチパネル１７に表示されるボタンであってもよい。
【０１８９】
（６）紙幣の処理が最後に行われてから所定時間が経過したことを条件に、制御部１２０が出力用データファイルを出力する場合、出力用データファイルは、未出力の紙幣データを含む。
【０１９０】
（７）処理を行った紙幣の枚数が所定枚数に達したことを条件に、制御部１２０が出力用データファイルを出力する場合、出力用データファイルは、未出力の紙幣データを含む。
【０１９１】
例えば、（２）の条件と、（３）の条件とを使い分けることにより、バッチ未達の端数紙幣に関する情報の出力を、次のバッチに達するまで保留するか、バッチ達成を待たずに分割して行うかを切り換えることが可能になる。そのことで、バッチ単位でのデータ管理を望む顧客と、リアルタイム性を重視する顧客との両方をサポートしたり、上位端末１４０におけるデータ管理の仕様に適合させたりすることが可能になる。
【０１９２】
尚、オペレータは、これら（１）〜（７）の各条件を、単独で出力条件に設定してもよいし、（１）〜（７）の条件から複数の条件を選択すると共に、選択した複数条件のＡＮＤ条件を出力条件に設定したり、選択した複数条件のＯＲ条件を出力条件に設定したりしてもよい。
【０１９３】
このように、この紙幣処理装置１００では、第１モード、及び、第２モードのそれぞれにおいて、出力用データファイルを出力する条件として、複数の条件が設定されている。制御部１２０は、複数の条件から選択された条件に基づいて、出力用データファイルを出力するタイミングを制御する。従って、紙幣処理装置１００を用いて行う業務に応じて異なるタイミングで作成される出力用データファイルを、適切なタイミングで出力することが可能になる。つまり、出力用データファイルに含める紙幣データに対応して、適切なタイミングで、出力用データファイルを出力することができる。また、第１モードにおいては、業務に適したタイミングで情報を出力することが可能になる一方、第２モードにおいては、顧客の要望等に応じてタイミングを適宜調整することが可能になる。
【０１９４】
尚、出力用データファイルは、例えば暗号化して上位端末１４０や外部装置に出力したり、ファイルを圧縮した上で上位端末１４０や外部装置に出力したりしてもよい。
【０１９５】
〈その他の実施形態〉
前記実施形態では、所定の構成を有する紙幣整理機としての紙幣処理装置１００について説明したが、紙幣処理装置はこれに限られない。ここに開示する技術は、様々な紙幣処理装置に適用することが可能である。
【０１９６】
図１９は紙幣処理装置の一例として、紙幣整理機１００３を例示している。この紙幣整理機１００３は、投入された複数枚の紙幣を、予め設定された仕分け内容に従って仕分けて計数するよう構成されている。紙幣整理機１００３は、紙幣を投入するホッパ１００３ａと、リジェクト紙幣を投出する２つのリジェクト部１００３ｂと、それぞれ紙幣を集積する４つの集積部１００３ｃとを備えており、その内部には、識別部を備えている。この紙幣整理機１００３も、構成は相違するものの、その機能は、前記紙幣処理装置１００と、実質同様である。
【０１９７】
図２０は紙幣処理装置の一例として、紙幣分類結束装置１００４を例示している。この紙幣分類結束装置１００４は、入金処理時に、集積カテゴリ及び紙幣種別毎に、投入された紙幣を分類して集積すると共に、分類集積した集積カテゴリ及び紙幣種別別の紙幣をテープで結束するよう構成されている。紙幣分類結束装置１００４は、紙幣が投入される投入部１００４ａと、それぞれ紙幣を集積する複数の集積部１００４ｂと、結束した紙幣を投出する投出部１００４ｃと、を備えており、その内部には、識別部を備えている。この紙幣分類結束装置１００４も、構成は相違するものの、その一部の機能は、前記紙幣処理装置１００と、実質同様である。
【符号の説明】
【０１９８】
１７  タッチパネル（表示部、視覚誘導部、警告部）
１８  液晶パネル（視覚誘導部）
１００  紙幣処理装置
１２０  制御部（処理部、条件選択部、ファイル作成部、出力部）
１４５  ブザー（警告部）
３  識別部
４  結束スタッカ（集積部）
４３  扉（視覚誘導部）
４６、５５ 照明装置（照明部、視覚誘導部）
４７  第１取出口（開口）
５  非結束スタッカ（集積部）
５３  第２取出口（開口）
５４  押出機構（視覚誘導部）
Ｓ１  初期画面（業務選択部）
【図１】
0006578213.tif 000002
【図２】
0006578213.tif 000003
【図３】
0006578213.tif 000004
【図４】
0006578213.tif 000005
【図５】
0006578213.tif 000006
【図６】
0006578213.tif 000007
【図７】
0006578213.tif 000008
【図８】
0006578213.tif 000009
【図９】
0006578213.tif 000010
【図１０】
0006578213.tif 000011
【図１１】
0006578213.tif 000012
【図１２】
0006578213.tif 000013
【図１３】
0006578213.tif 000014
【図１４】
0006578213.tif 000015
【図１５】
0006578213.tif 000016
【図１６】
0006578213.tif 000017
【図１７】
0006578213.tif 000018
【図１８】
0006578213.tif 000019
【図１９】
0006578213.tif 000020
【図２０】
0006578213.tif 000021